(57)【要約】【課題】  被検者による入力操作の内容を確認可能とすることで、検査をスムーズに行うことが可能な検眼装置を提供する。【解決手段】  被検者４の左被検眼ＥＬにランドルト環等の視標を提示する液晶表示部５３を備えた光学ヘッド部５ｌと、右被検眼ＥＲに視標を提示する液晶表示部５３を備えた光学ヘッド部５ｒと、液晶表示部５３により提示された視標に対する応答を入力するために被検者４が操作するジョイスティックレバー６ｈと、被検者４がジョイスティックレバー６ｈに対して行った操作内容を表す操作内容情報を当該視標とともに液晶表示部５３に表示させるように制御を行う制御部８０とを備える。【選択図】      図１２
2005342042.tif 000002
【特許請求の範囲】
【請求項１】
被検者の左右被検眼に視標を提示する視標提示手段と、前記提示された視標に対する応答を入力するために前記被検者により操作される操作手段とを有する検眼装置であって、
前記視標に対する前記応答は、前記操作手段により方向を指定することによって行われ、
前記操作手段により指定された前記方向を明示する操作内容情報を前記視標とともに前記被検者に向けて表示する表示手段を備えていることを特徴とする検眼装置。
【請求項２】
被検者の左右被検眼に視標を提示する視標提示手段と、前記提示された視標に対する応答を入力するために前記被検者により操作される操作手段とを有する検眼装置であって、
前記視標は複数の部分から構成され、
前記視標に対する前記応答は、前記操作手段により前記複数の部分のいずれかを選択することによって行われ、
前記操作手段により選択された前記視標の部分を明示する前記操作内容情報を前記視標とともに前記被検者に向けて表示する表示手段を備えていることを特徴とする検眼装置。
【請求項３】
被検者の左右被検眼に視標を提示する視標提示手段と、前記提示された視標に対する応答を入力するために前記被検者により操作される操作手段とを有する検眼装置であって、
前記視標に対する前記応答は、前記操作手段により前記視標上の位置を特定することによって行われ、
前記操作手段により特定された前記位置を明示する前記操作内容情報を前記視標とともに前記被検者に向けて表示する表示手段を備えていることを特徴とする検眼装置。
【請求項４】
前記視標は、乱視検査に用いられる放射チャートであり、
前記表示手段は、前記放射チャートの中心位置を軸として回転するマークを前記被検者に表示し、
前記応答は、前記操作手段を操作して、前記放射チャート上の濃厚に視認される位置に前記回転するマークを停止させることで行われることを特徴とする請求項３に記載の検眼装置。
【請求項５】
前記マークの回転が停止された前記放射チャート上の前記位置に対応する乱視軸角度を取得する手段を更に備えていることを特徴とする請求項４に記載の検眼装置。
【請求項６】
前記視標は、斜位検査に用いられる十字チャートであり、
前記操作手段により前記十字チャートの所定位置が特定されたときに、当該特定された前記所定位置に対応するプリズム量を算出する算出手段を更に備えていることを特徴とする請求項３に記載の検眼装置。
【請求項７】
前記視標提示手段は、所定方向の偏光特性が付与された第１の視標と、前記所定方向に直交する方向の偏光特性が付与された第２の視標とを含む視力表であり、
前記左被検眼に対して前記所定方向の偏光特性を付与して前記第１の視標を視認させ、前記右被検眼に対して前記直交方向の偏光特性を付与して前記第２の視標を視認させる偏光手段を更に備えていることを特徴とする請求項１ないし請求項３のいずれか一項に記載の検眼装置。
【請求項８】
複数の視標を含む視力表を被検者の左右被検眼に提示する視標提示手段と、前記提示された前記視力表に含まれる前記視標に対する応答を入力するために前記被検者により操作される操作手段とを有する検眼装置であって、
前記操作手段は、前記提示された前記視力表に含まれる前記視標を選択して指定するために操作され、
前記操作手段により指定された前記視標を明示する操作内容情報を前記指定された視標とともに前記被検者に向けて表示する表示手段を備えていることを特徴とする検眼装置。
【請求項９】
前記表示手段は、前記操作内容情報を所定時間だけ点滅表示し、
前記所定時間内に、前記視標に対する前記応答の再入力を要求するために操作される再入力要求操作手段と、
前記再入力要求操作手段が操作されたことに対応して、前記点滅表示された前記操作内容情報を非表示にするとともに、前記視標に対する前記応答を再入力可能にする制御手段とを更に備えていることを特徴とする請求項１ないし請求項８のいずれか一項に記載の検眼装置。
【請求項１０】
前記視標に対する前記応答の再入力を要求するために操作される再入力要求操作手段と、
前記再入力要求操作手段が操作されたことに対応して、前記表示された前記操作内容情報を非表示にするとともに、前記視標に対する前記応答を再入力可能にする制御手段とを更に備えていることを特徴とする請求項１ないし請求項８のいずれか一項に記載の検眼装置。
【請求項１１】
各種の検査における前記操作手段の操作方法を前記被検者に練習させるための練習画面を表示する練習画面表示手段を更に備え、
前記表示手段は、前記操作手段により前記練習画面に対して入力された操作が前記操作方法に適合するときに、前記入力操作が正解であることを明示する正解情報を前記操作内容情報として表示し、前記入力操作が前記操作方法に適合しないときに、前記入力操作が不正解であることを明示する不正解情報を前記操作内容情報として表示することを特徴とする請求項１ないし請求項８のいずれか一項に記載の検眼装置。
【請求項１２】
前記視標提示手段及び前記表示手段は、単一の液晶表示器により構成されることを特徴とする請求項１ないし請求項１１のいずれか一項に記載の検眼装置。
【請求項１３】
前記表示手段は、前記視標提示手段により提示される前記視標の周囲に配置された複数の発光手段を含み、前記操作手段による操作に対応する位置の前記発光手段を点灯させて前記操作内容情報を表示することを特徴とする請求項１ないし請求項１１のいずれか一項に記載の検眼装置。
【発明の詳細な説明】
【技術分野】
【０００１】
本発明は、被検者に各種の視標を提示し、その視標の見え方に基づいて被検眼の視力値を求める自覚検査を行う検眼装置に関するものである。
【背景技術】
【０００２】
従来から、眼科分野や眼鏡店などにおいて、視力測定用のランドルト環や乱視測定用の放射チャート等の視標を被検者に提示し、その視標の見え方に基づいて被検眼の視力値を求める自覚検査が広く実施されている。従来の自覚検査では、検者が被検者に視標の見え方を質問し、その応答内容に基づいて、次に提示する視標の選択や視力値の決定を行っていた。
【０００３】
近年、被検眼の球面度数や円柱度数等を光学的に測定する他覚検査と上述の自覚検査の双方を実施可能な検眼装置が提案され、注目を集めている。下記の特許文献１には、このような検眼装置の一構成例が開示されている。この検眼装置は、被検眼に対する検眼測定ユニットのアライメントを自動的に実行する自動アライメント機構と、被検者自身が被検眼に対する検眼測定ユニットのアライメントを手動で行う手動アライメント手段と、自動アライメントが実行可能であるか否かを判断する判断手段と、自動アライメントがどのようなものであるかを被検者に説明して知得させる知得手段とを備えている。
【０００４】
また、特許文献２には、来店者自らが検眼測定できるように、その測定手順を示すモニタを備え、該モニタには測定データが得られるまでの間、測定手順を示す動画又は静止画が繰り返し提示される検眼システムが開示されている。
【０００５】
これら文献に記載された検眼装置は、文字メッセージや音声メッセージにより被検者をガイドする機能を備えており、被検者は（ほぼ）単独で一連の検査を行うことができるという特徴を持つ。被検者は、ガイドにしたがってジョイスティックレバーやカーソルキー等を操作することにより、視標の見え方についての応答を入力する。検眼装置は、その入力情報に基づいて、次に提示する視標の選択や視力値の決定を行うことにより自覚検査を自動的に進行するように構成されている。
【０００６】
このような検眼装置では、提示される視力表が切り換えられたことにより、被検者は、測定が次の段階に移行したことを認識するようになっている。また、ジョイスティックレバーへの操作入力が有効であるときに出力されるビープ音によって、被検者は、応答内容が受け付けられたことを認識するようになっている。
【０００７】
すなわち、このような検眼装置では、被検者は、入力操作の完了を確認することはできるが、入力された操作内容自体については確認することができない。例えば、ランドルト環を含む視力表を用いた視力検査において、被検者が、切れ目が左側にあるランドルト環に対して、正解である「左」を認識したにも拘わらず、ジョイスティックレバーを「左」に傾倒したつもりが操作ミスによって「左上」に傾倒してしまった場合、被検者自身は当該ランドルト環を認識可能な視力を有しているにも拘わらず、検眼装置は「不正解」との判断を下してしまう。このような入力装置に対する操作ミスが発生すると、被検眼の正確な視力値を取得するためには、再検査を行うなどの余分な時間が必要となり、検査時間が無意味に長くなってしまい、被検者に掛かる負担が増大するなどの問題が生じる。
【０００８】
なお、このような操作ミスを認識できるのは被検者だけであるので、検眼装置側で主体的にミスを検出することは原理的に不可能と考えられる。したがって、操作ミスの有無の確認は被検者の認識に依存することとなるが、従来の検眼装置では、操作ミスの有無を被検者に確認させることができなかった。
【０００９】
ところで、近年、Ｅａｒｌｙ  Ｔｒｅａｔｍｅｎｔ  Ｄｉａｂｅｔｉｃ  Ｒｅｔｉｎｏｐａｔｈｙ  Ｓｔｕｄｙ（ＥＴＤＲＳ）は、視角の対数で視力を表示する方式、すなわちｌｏｇＭＡＲ（Ｍｉｎｉｍｕｍ  Ａｎｇｌｅ  ｏｆ  Ｒｅｓｏｌｕｔｉｏｎ）方式の視標の普及を進めている。このｌｏｇＭＡＲ方式の視力表には、視力値の各段階毎に所定の割合（１０√１０）でサイズが異なる視標が等間隔に配列されている。（例えば、下記の非特許文献１を参照。）
【００１０】
このｌｏｇＭＡＲ方式の視力表を、検者なしでの検査を想定した検眼装置に適用する場合、どの視標が選択されているかを被検者が認識することは困難であるため、被検者に掛かる負担が大きく、更に検査精度が劣化するおそれもある。この問題は、複数のランドルト環を含む視力表のように、複数の視標を一度に被検者に提示し、各視標を選択的に被検者に供しながら検査を行うための視力表を使用する場合も同様である。
【００１１】
上述した特許文献２に記載の検眼システムは、被検者単独での検査を想定した検眼装置を含んで構成され、検査をスムーズに行えるように、入力装置の操作方法や検査の手順を練習するための練習画面を表示するようになっている。この練習画面は、検眼装置と通信ケーブルで接続されたモニタ装置により表示される。被検者は、検眼装置とは別に設けられたモニタ装置上の練習画面を見ながら練習を行わなければならず、練習作業は煩雑なものとなる。また、モニタ装置を別途に設ける必要があるので、配置スペースがない場合には設置が困難となる。また、練習画面を検者用コンピュータ端末のモニタ装置に表示させて入力操作の練習を行う構成も想定されるが、そのような練習作業を行うには検者の援助が必要であり、検査プロセスの自動化を阻害する一因となる。
【００１２】
【特許文献１】特開２００２−１１９４７６号公報（請求項６、明細書段落［００３９］〜［００４３］）
【特許文献２】特開平２００２−１１９４７１号公報（請求項１、請求項２、明細書段落［００２３］、［００３８］〜［００４０］、［００４２］〜［００４４］、［００５５］〜［００５８］、第４図〜第７図）
【非特許文献１】「眼科検査法ハンドブック（第３版）」丸尾、小口外編、医学書院、１９９９年、第１１、１２頁
【発明の開示】
【発明が解決しようとする課題】
【００１３】
本発明は、このような事情に鑑みてなされたもので、被検者による入力操作の内容の確認を可能とすることにより、検査をスムーズに行うことが可能な検眼装置を提供することを目的とする。
【００１４】
また、本発明は、複数の視標を一度に表示するタイプの視力表を使用する場合に、被検者が選択した視標を被検者に明示することにより、被検者の負担を低減し、検査精度を向上することが可能な検眼装置を提供することを他の目的としている。
【００１５】
また、本発明は、入力操作の練習を容易に行うことが可能な検眼装置を提供することを更なる目的としている。
【課題を解決するための手段】
【００１６】
上記目的を達成するために、請求項１に記載の発明は、被検者の左右被検眼に視標を提示する視標提示手段と、前記提示された視標に対する応答を入力するために前記被検者により操作される操作手段とを有する検眼装置であって、前記視標に対する前記応答は、前記操作手段により方向を指定することによって行われ、前記操作手段により指定された前記方向を明示する操作内容情報を前記視標とともに前記被検者に向けて表示する表示手段を備えていることを特徴とする。
【００１７】
また、請求項２に記載の発明は、被検者の左右被検眼に視標を提示する視標提示手段と、前記提示された視標に対する応答を入力するために前記被検者により操作される操作手段とを有する検眼装置であって、前記視標は複数の部分から構成され、前記視標に対する前記応答は、前記操作手段により前記複数の部分のいずれかを選択することによって行われ、前記操作手段により選択された前記視標の部分を明示する前記操作内容情報を前記視標とともに前記被検者に向けて表示する表示手段を備えていることを特徴とする。
【００１８】
また、請求項３に記載の発明は、被検者の左右被検眼に視標を提示する視標提示手段と、前記提示された視標に対する応答を入力するために前記被検者により操作される操作手段とを有する検眼装置であって、前記視標に対する前記応答は、前記操作手段により前記視標上の位置を特定することによって行われ、前記操作手段により特定された前記位置を明示する前記操作内容情報を前記視標とともに前記被検者に向けて表示する表示手段を備えていることを特徴とする。
【００１９】
また、請求項４に記載の発明は、請求項３に記載の検眼装置であって、前記視標は、乱視検査に用いられる放射チャートであり、前記表示手段は、前記放射チャートの中心位置を軸として回転するマークを前記被検者に表示し、前記応答は、前記操作手段を操作して、前記放射チャート上の濃厚に視認される位置に前記回転するマークを停止させることで行われることを特徴とする。
【００２０】
また、請求項５に記載の発明は、請求項４に記載の検眼装置であって、前記マークの回転が停止された前記放射チャート上の前記位置に対応する乱視軸角度を取得する手段を更に備えていることを特徴とする。
【００２１】
また、請求項６に記載の発明は、請求項３に記載の検眼装置であって、前記視標は、斜位検査に用いられる十字チャートであり、前記操作手段により前記十字チャートの所定位置が特定されたときに、当該特定された前記所定位置に対応するプリズム量を算出する算出手段を更に備えていることを特徴とする。
【００２２】
また、請求項７に記載の発明は、請求項１ないし請求項３のいずれか一項に記載の検眼装置であって、前記視標提示手段は、所定方向の偏光特性が付与された第１の視標と、前記所定方向に直交する方向の偏光特性が付与された第２の視標とを含む視力表であり、前記左被検眼に対して前記所定方向の偏光特性を付与して前記第１の視標を視認させ、前記右被検眼に対して前記直交方向の偏光特性を付与して前記第２の視標を視認させる偏光手段を更に備えていることを特徴とする。
【００２３】
また、請求項８に記載の発明は、複数の視標を含む視力表を被検者の左右被検眼に提示する視標提示手段と、前記提示された前記視力表に含まれる前記視標に対する応答を入力するために前記被検者により操作される操作手段とを有する検眼装置であって、前記操作手段は、前記提示された前記視力表に含まれる前記視標を選択して指定するために操作され、前記操作手段により指定された前記視標を明示する操作内容情報を前記指定された視標とともに前記被検者に向けて表示する表示手段を備えていることを特徴とする。
【００２４】
また、請求項９に記載の発明は、請求項１ないし請求項８のいずれか一項に記載の検眼装置であって、前記表示手段は、前記操作内容情報を所定時間だけ点滅表示し、前記所定時間内に、前記視標に対する前記応答の再入力を要求するために操作される再入力要求操作手段と、前記再入力要求操作手段が操作されたことに対応して、前記点滅表示された前記操作内容情報を非表示にするとともに、前記視標に対する前記応答を再入力可能にする制御手段とを更に備えていることを特徴とする。
【００２５】
また、請求項１０に記載の発明は、請求項１ないし請求項８のいずれか一項に記載の検眼装置であって、前記視標に対する前記応答の再入力を要求するために操作される再入力要求操作手段と、前記再入力要求操作手段が操作されたことに対応して、前記表示された前記操作内容情報を非表示にするとともに、前記視標に対する前記応答を再入力可能にする制御手段とを更に備えていることを特徴とする。
【００２６】
また、請求項１１に記載の発明は、請求項１ないし請求項８のいずれか一項に記載の検眼装置であって、各種の検査における前記操作手段の操作方法を前記被検者に練習させるための練習画面を表示する練習画面表示手段を更に備え、前記表示手段は、前記操作手段により前記練習画面に対して入力された操作が前記操作方法に適合するときに、前記入力操作が正解であることを明示する正解情報を前記操作内容情報として表示し、前記入力操作が前記操作方法に適合しないときに、前記入力操作が不正解であることを明示する不正解情報を前記操作内容情報として表示することを特徴とする。
【００２７】
また、請求項１２に記載の発明は、請求項１ないし請求項１１のいずれか一項に記載の検眼装置であって、前記視標提示手段及び前記表示手段は、単一の液晶表示器により構成されることを特徴とする。
【００２８】
また、請求項１３に記載の発明は、請求項１ないし請求項１１のいずれか一項に記載の検眼装置であって、前記表示手段は、前記視標提示手段により提示される前記視標の周囲に配置された複数の発光手段を含み、前記操作手段による操作に対応する位置の前記発光手段を点灯させて前記操作内容情報を表示することを特徴とする。
【発明の効果】
【００２９】
本発明に係る検眼装置によれば、視標に対する応答として被検者が操作手段に対して行った操作内容を表す操作内容情報が当該視標とともに被検者に向けて表示されるので、被検者は、自己の意図した応答の内容と、操作内容情報の示す操作内容とを比較することにより、操作手段に対する操作ミスの有無を確認することができる。したがって、操作ミスが報知されたままで検査が進行してしまう事態を回避することができるので、検査を円滑に行うことが可能となる。
【００３０】
請求項８に記載の本発明の検眼装置によれば、視力表上に含まれる複数の視標のうち、被検者が指定した視標を明示する操作内容情報が当該視標とともに被検者に向けて表示されるので、被検者は、自分で指定した視標を明確に認識することができる。したがって、視力表を用いた検査における被検者の負担が低減される。また、指定したものとは別の視標に誤って応答してしまうことがなくなるので、検査精度が向上される。
【００３１】
請求項１１に記載の本発明の検眼装置によれば、操作手段の操作方法の練習時において、入力操作が適切に行われたか否かに対応して「正解情報」又は「不正解情報」が被検者に向けて表示されるので、被検者は、その入力操作が適当であったか否かを容易に認識することができる。したがって、操作手段の操作方法の練習作業を容易に行うことが可能となる。
【発明を実施するための最良の形態】
【００３２】
本発明に係る検眼装置の実施の形態の一例について、図面を参照しながら詳細に説明する。
【００３３】
［第１の実施形態］
図１は本発明に係る検眼装置の第１の実施形態の構成を示す外観側面図であり、図２はその外観斜視図である。また、図３〜図１１は、当該検眼装置が備える光学系の構成を示している。図１２は、当該検眼装置の制御系の構成を示すものである。更に、図１３及び図１４は、当該検査装置により実行される検眼手順の流れを示している。更にまた、図１５〜図２１は、当該検眼装置により被検者に向けて表示される画像の表示形態を示すものである。
【００３４】
以下、本実施形態の検眼装置の外観等の構成をまず概略的に説明し、次に、その光学系の構成を説明する。続いて、この検眼装置の制御系の構成を説明した後に、検眼手順の流れについて説明を行う。
【００３５】
〔検眼装置の構成〕
図１に示すように、検眼装置２は、高さを上下に調節可能な検眼テーブル１上に配置されて使用される。被検者４は、検眼テーブル１とともに設けられた検眼椅子３に着席した状態で検査を行うようになっている。
【００３６】
また、検眼テーブル１上には、図２に示すように支柱６４ｓが立設されており、この支柱６４ｓの上端部には液晶モニタ６４ｑが設けられている。なお、この液晶モニタ６４ｑを配置しない構成を採用してもよい。
【００３７】
検眼装置２は、図１及び図２に示すように、台座部５ａと、この台座部５ａ上に配設された駆動機構ボックス５ｂと、後述する測定光学系を内蔵する左右一対の光学ヘッド部５ｌ、５ｒと、検査時に被検者４の顔を固定配置させるための顔受け装置６とを有している。ここで、「固定」とは、被検者４の顔が動かないように完全に固定した状態だけでなく、光学ヘッド部５ｌ、５ｒにより被検眼を測定可能な程度の顔の変位を許容している状態も含むものと解する。光学ヘッド部５ｌ、５ｒは、支柱５ｐ、５ｑに支持され、駆動機構ボックス５ｂによりそれぞれ独立に３次元的に駆動される。光学ヘッド部５ｌ、５ｒの前面には、それぞれ液晶モニタ６４ｌ、６４ｒが設けられている。この液晶モニタ６４ｌ、６４ｒには、検査中における被検眼の前眼部像や眼底反射像などが表示される。検者やアシスタント（オペレータと呼ぶ）は、表示された前眼部像を見ることにより、被検者４が検査を適正に行っているかどうかを確認することができる。
【００３８】
顔受け装置６には、左右一対の支柱６ａ、６ｂと、この支柱６ａ、６ｂの各上端に接続された部材により支持された額当て６ｃと、この額当て６ｃの下方に配設された顎受け６ｄとが設けられている。額当て６ｃは、検査時に被検者４が額を当接させるための部材であり、額に対する密着性を高めるために円弧状に形成されており、かつ、前後方向にその位置を調節可能に構成されている。また、顎受け６ｄは、検査時に被検者４が顎を載せるための部材であり、左右一対のノブ６ｅによって上下方向にその位置を調節可能に構成されている。被検者４は、顎を顎受け６ｄに載せつつ、額を額当て６ｃに当接させることによりその顔を固定配置させて検査に臨むこととなる。
【００３９】
駆動機構ボックス５ｂには、支柱５ｐ、５ｑをそれぞれ独立に３次元的に駆動するＸＹＺ駆動機構が内蔵されている。このＸＹＺ駆動機構としては、その詳細構成についての図示は省略するが、例えばパルスモータや送りネジなどを用いた公知の構成を採用することができる。それにより、支柱５ｐ、５ｑ、すなわち光学ヘッド部５ｌ、５ｒは、それぞれ独立に３次元的に駆動される。
【００４０】
更に、駆動機構ボックス５ｂ内には、支柱５ｐ、５ｑをそれぞれ独立に水平方向に回転駆動させる回転駆動機構が設けられている。この回転駆動機構としては、例えば、パルスモータと、このパルスモータの回転駆動を各支柱５ｐ、５ｑに伝達するギヤとを組み合わせた構成を採用することができる。なお、この回転駆動機構は、支柱５ｐ、５ｑ、すなわち光学ヘッド部５ｌ、５ｒを、被検者４の左右眼の眼球回旋点を中心にそれぞれ逆方向に回転させるように構成されている。
【００４１】
光学ヘッド部５ｌ、５ｒには、図３〜図７に示す後述の各種の光学系がそれぞれ格納されている。光学ヘッド部５ｌ、５ｒは、各光学系を動作させることにより、被検者４の両眼の他覚屈折測定及び自覚屈折測定を同時に実行するように構成されている。
【００４２】
台座部５ａには、ジョイスティックレバー（以下、単にレバーと呼ぶことがある）６ｈが設けられている。レバー６ｈは、例えば、上、下、右、左、右上、左上、右下、左下の８方向に傾倒可能に構成されている。なお、レバー６ｈは、上下左右の４方向に傾倒可能なものであってもよい。また、レバー６ｈの上部にはボタン６ｇが設けられている。被検者４は、このレバー６ｈとボタン６ｇとを適宜操作することによって検査を行う。
【００４３】
（光学系の構成）
次に、光学ヘッド部５ｌ、５ｒに格納された、被検者４の左右眼の屈折力を測定するための測定光学系の構成について詳細に説明する。まず、被検者４の左眼に対する測定を行う光学ヘッド部５ｌの測定光学系は、図３〜図５に示すような前眼部撮影光学系３０Ｌと、ＸＹアライメント光学系３１Ｌと、固視光学系３２Ｌと、屈折力測定光学系３３Ｌとを含んで構成されている。同様に、被検者４の右眼に対する測定を行う光学ヘッド部５ｒの測定光学系は、図３、図６、図７に示すような前眼部撮影光学系３０Ｒと、ＸＹアライメント光学系３１Ｒと、固視光学系３２Ｒと、屈折力測定光学系３３Ｒとを含んでいる。左眼測定用の光学ヘッド部５ｌの測定光学系と右眼測定用の光学ヘッド部５ｒの測定光学系とは左右対称に構成されている。以下、特に指摘しない限り、左眼測定用の光学ヘッド部５ｌの測定光学系について説明することとする。
【００４４】
光学ヘッド部５ｌ内に設けられた前眼部撮影光学系３０Ｌは、前眼部照明光学系３４と撮影光学系３５とを含んで構成されている。
【００４５】
前眼部照明光学系３４は、図４及び図５に示すように、被検者４の左眼（被検眼ＥＬ）の前眼部を照明するための光源３６と、この光源３６から出射された光束の断面領域を制限する絞り３６ａと、この絞り３６ａを通過した光束を被検眼ＥＬの前眼部に投影する投影レンズ３７とを備えている。
【００４６】
また、撮影光学系３５は、前眼部照明光学系３４により照明された被検眼ＥＬの前眼部からの反射光が入射されるプリズムＰと、このプリズムＰの反射面にて反射された光束が入射される対物レンズ３８と、ダイクロイックミラー３９と、絞り４０と、ダイクロイックミラー４１と、リレーレンズ４２、４３と、ダイクロイックミラー４４と、ＣＣＤ４６の受光面に光束を結像させるＣＣＤレンズ４５とを備えている。
【００４７】
ＸＹアライメント光学系３１Ｌは、被検眼ＥＬに対する光学ヘッド部５ｌの光学系のＸＹ方向のアライメントを行うための光学系であり、アライメント用の光束を被検眼ＥＬに投射するアライメント照明光学系４７と、その反射光を受光するアライメント受光光学系としての撮影光学系３５とを含んで構成されている。ここで、被検者４から見て左右方向をＸ方向とし、上下方向をＹ方向とする。また、被検者４から見て検眼装置２の奥行き方向をＺ方向とする。
【００４８】
アライメント照明光学系４７は、図３及び図４に示すように、ＸＹ方向のアライメント用の光束を出射する照明光源４８と、アライメント視標としての絞り４９と、リレーレンズ５０と、ダイクロイックミラー４１と、絞り４０と、ダイクロイックミラー３９と、対物レンズ３８と、プリズムＰとを備えている。
【００４９】
固視光学系３２Ｌは、各種の視標（チャート）を表示する液晶表示器５３と、この液晶表示器５３からの光を反射するハーフミラー５４と、コリメータレンズ５５と、斜位検査においてプリズム度数及びプリズム基底方向を調整するためのロータリープリズム５５Ａ、５５Ｂと、反射ミラー５６と、被検眼ＥＬを固視雲霧するときなどに用いられる移動レンズ５７と、リレーレンズ５８、５９と、乱視検査において乱視度数及び乱視軸角度を調整するためのバリアブルクロスシリンダレンズ（ＶＣＣレンズ）５９Ａ、５９Ｂと、反射ミラー６０と、ダイクロイックミラー６１、３９と、対物レンズ３８と、プリズムＰとを備えている。
【００５０】
液晶表示器５３には、風景チャートからなる固視標に加え、視力検査用のランドルト環等の視力チャート、乱視検査用の放射チャート、斜位検査用の十字チャート、赤緑検査（レッドグリーン（ＲＧ）テスト）用のＲＧチャートなど自覚式検眼用の各種視標などが表示される。これらの視標の形態については後述する。なお、ターレット盤に各種視標を設けて背景照明により視標を被検眼ＥＬに提示する公知の視標提示手段を、液晶表示器の代わりに用いてもよい。
【００５１】
ロータリープリズム５５Ａ、５５Ｂは、パルスモータ等の駆動によってそれぞれ独立に回転される。図８に示すように、ロータリープリズム５５Ａ、５５Ｂが互いに逆方向に回転されるとプリズム度数が連続的に変更される。一方、同じ方向に一体的に回転されるとプリズム基底方向が連続的に変更される。
【００５２】
なお、上述の十字チャートを被検眼に提示して斜位検査を行うときには、図９（ａ）に示す視標７１Ａを光学ヘッド部５ｌの液晶表示器５３に表示して左被検眼ＥＬに提示するとともに、図９（ｂ）に示す視標７１Ｂを光学ヘッド部５ｒの液晶表示器５３に表示して右被検眼ＥＲに提示する。被検眼ＥＬ、ＥＲが正常眼である場合には、図９（ｃ）に示すように、視標７１Ａと視標７１Ｂとは正常に融像され、左右の視標は各々の中心で交差する。しかし、被検眼に斜位がある場合、左右の視標は中心から偏って交差するか、重度の場合には交差しないほどに偏って視認される。そこで、ロータリープリズム５５Ａ、５５Ｂを回転させて図９（ｃ）に示すように左右の視標７１Ａと視標７１Ｂが中心で交わるように見えるプリズム度数及び基底方向を測定する。
【００５３】
図１０に示すように、ＶＣＣレンズ５９Ａは凸状の面を有し、５９Ｂは凹状の面を有しており、パルスモータ等によってそれぞれ独立に回転される。ＶＣＣレンズ５９Ａ、５９Ｂが互いに逆方向に回転されると乱視度数が変更され、同じ方向に一体的に回転されると乱視軸角度が変更される。
【００５４】
移動レンズ５７は、パルスモータ等の駆動に応じて光軸方向に移動することにより、被検眼ＥＬに付加される球面度を変更する。オペレータは、被検眼ＥＬの屈折力に応じた移動量だけ移動レンズ５７を光軸方向に移動させることにより、被検眼ＥＬに対して固視雲霧を行うことができる。
【００５５】
図５に示すように、固視光学系３２Ｌのハーフミラー５４の透過方向には、融像視標提示光学系３２Ｌ′が設けられている。この融像視標提示光学系３２Ｌ′は、照明光を出射するＬＥＤ５３Ａと、コリメータレンズ５３Ｂと、融像枠チャート５３Ｄと、全反射ミラー５３Ｅとを含んで構成されている。融像枠チャート５３Ｄには、図１１に示すように正方形状の透過窓（融像枠）５３Ｆと遮光部５３Ｇとが形成されている。また、コリメータレンズ５３Ｂには拡散面が設けられており、ＬＥＤ５３Ａからの光は融像枠チャート５３Ｄを一様に照明するようになっている。この融像枠５３Ｆは、両眼開放状態で検査を行う際に必要に応じて提示されるもので、左右被検眼ＥＬ、ＥＲによる融像を支援する融像刺激として作用する視標である。
【００５６】
なお、本実施形態の融像視標提示光学系３２Ｌ′は、固視光学系３２Ｌに付随するように構成されているが、液晶表示器５３に融像枠５３Ｆを表示させることにより固視光学系３２Ｌと一体的に構成してもよい。また、固視光学系３２Ｌから完全に独立した構成の融像視標提示光学系３２Ｌ′を設けてもよい。
【００５７】
屈折力測定光学系３３Ｌは、図５に示すように、他覚測定用の光束を被検眼ＥＬに投影する測定光束投影光学系６２と、その投影光の被検眼ＥＬからの反射光を受光する測定光束受光光学系６３とを備えている。
【００５８】
測定光束投影光学系６２は、赤外ＬＥＤ等の測定用光源６４と、コリメータレンズ６５と、円錐プリズム６６と、リング視標６７と、リレーレンズ６８と、リング状絞り６９と、中央に透孔７０ａが形成された穴あきプリズム７０と、ダイクロイックミラー６１、３９と、対物レンズ３８と、プリズムＰとを含んで構成されている。
【００５９】
また、測定光束受光光学系６３は、被検眼ＥＬの眼底Ｅｆからの反射光が入射されるプリズムＰと、対物レンズ３８と、ダイクロイックミラー３９、６１と、穴あきプリズム７０の透孔７０ａと、反射ミラー７１と、リレーレンズ７２と、移動レンズ７３と、反射ミラー７４と、ダイクロイックミラー４４と、ＣＣＤレンズ４５と、ＣＣＤ４６とを含んで構成されている。
【００６０】
（制御系の構成）
次に、図１２に示すブロック図を参照しながら、本実施形態の検眼装置２が備える制御系の構成について説明する。
【００６１】
検眼装置２の制御系は、装置各部を制御する制御部８０を中心に構成されている。この制御部８０は、例えば検眼装置２の台座部５ａ内に格納されており、後述の検査手順を実行するための制御プログラムを含むソフトウェアを格納した不揮発性記憶装置（例えばＲＯＭ）と、このソフトウェアを実行して装置各部の制御を行う演算制御装置（例えばＣＰＵ）とを含んで構成されている。
【００６２】
制御部８０は、各光学ヘッド部５ｌ、５ｒの各部の制御を実行する。特に、光学ヘッド部５ｌ、５ｒ内の固視光学系３２Ｌ、３２Ｒの液晶表示器５３に対する表示制御を行う。なお、この液晶表示器５３（及びその表示内容を被検眼ＥＬ、ＥＲに投影する固視光学系３２Ｌ、３２Ｒ）は、本発明の「視標提示手段」及び「表示手段」を構成するものである。また、図示は省略するが、制御部８０は、移動レンズ５７、ＶＣＣレンズ５９Ａ、５９Ｂ、ロータリープリズム５５Ａ、５５Ｂ、光源３６、照明光源４８、ＬＥＤ５３Ａ等の制御や、ＣＣＤ４６により撮影された画像に対するデジタル処理などを実行する。また、制御部８０は、駆動機構ボックス５ｂに格納された上述のＸＹＺ駆動機構を制御して、光学ヘッド部５ｌ、５ｒの移動制御を行う。
【００６３】
また、制御部８０は、液晶モニタ６４ｑに対する表示制御を行う。この表示制御処理は、上記制御プログラムにしたがって実行される。
【００６４】
被検者４がジョイスティックレバー６ｈを操作すると、制御部８０は、その操作内容に応じて、光学ヘッド部５ｌ、５ｒなど検眼装置２の各部を上記制御プログラムにしたがって制御する。このレバー６ｈは、本発明にいう「操作手段」を構成する。なお、本発明における操作手段としては、マウスやトラックボール等のポインティングデバイスなど、あらゆる操作デバイスを用いることができる。なお、この操作手段は、検眼装置２に直接に設けられていてもよいし、検眼装置２に接続されたコンピュータ装置（例えば図１２に示すコンピュータ装置９０）に設けられていてもよい。
【００６５】
検眼装置２は、ＬＡＮ等のネットワークを通じてコンピュータ装置９０と接続されている。このコンピュータ装置９０は、検眼装置２の検者用のコンソールとして用いられるとともに、検眼装置２による検査結果を集積して格納するようになっている。ここで、コンピュータ装置９０のＣＰＵ及び記憶装置を制御部８０として用いてもよい。
【００６６】
コンピュータ装置９０にはモニタ装置９１が接続されている。このモニタ装置９１には、検眼装置２の動作をコントロールするための各種画面や、検査結果等を表示する各種画面などが表示される。なお、モニタ装置９１に対する後述の操作内容情報の表示制御は、制御部８０によって行われる。
【００６７】
〔検査手順〕
以上のような構成の検眼装置２により実行される検査手順の一例について、図１３及び図１４に示すフローチャートを参照して説明する。図１３は検査手順の概略を示し、図１４は当該検査手順に含まれる自覚屈折測定の処理手順を示している。また、図１５〜図２１は、自覚屈折測定時に検眼装置２によって被検者４に向けて表示される画面の概略構成を示している。
【００６８】
図１３に示すフローチャートを参照して、検眼装置２による検査手順の概略を説明する。まず、被検者４のＩＤや氏名等のカルテ情報を検眼装置２に入力する（Ｓ１）。カルテ情報の入力方法は、オペレータがコンピュータ装置９０を操作して所定の被検者情報入力画面（図示省略）に入力するように構成してもよいし、検眼装置２にカードリーダを設置し、被検者４のＩＤカードをこのカードリーダに読み取らせることによって入力するように構成してもよい。
【００６９】
次に、検査モードの設定が行われる（Ｓ２）。例えば、初めて検査を行う被検者等については、他覚・自覚屈折検査や仮枠検査等の確認検査を含む全ての検査を一通り行うモードが設定され、屈折検査を既に行った被検者については、屈折検査をスキップして確認検査のみを行うモードが設定される。なお、これら検査モードの他にも各種のモードを適宜設けることが可能である。
【００７０】
検査モードが設定されると、他覚屈折測定、自覚屈折測定、確認検査における操作方法を練習するための練習画面が被検者４に提示される。被検者４は、この練習画面にしたがって検眼時の入力操作の練習を行う（Ｓ３）。練習画面は、光学ヘッド部５ｌ、５ｒの液晶表示器５３に表示され、固視光学系３２Ｌ、３２Ｒにより被検眼ＥＬ、ＥＲに投影される。したがって、検眼装置２による入力操作の練習は、光学ヘッド部５ｌ、５ｒをのぞき込んだ状態で行うこととなる。
【００７１】
入力操作の練習が終了すると、顔受け装置６に顔を固定させるように被検者４に対して要求する。すなわち、顎を顎受け６ｄに載置させるとともに、額を額当て６ｃに当接させるように被検者を促す。この処理は、ガイドアナウンスによって行ってもよいし、オペレータが被検者４に指示することによって行ってもよい。被検者４の顔が顔受け装置６に適正に固定されたら、検眼装置２は、被検者４の顔に対する光学ヘッド部５ｌ、５ｒの位置合わせ、すなわちアライメント処理を行う（Ｓ４）。
【００７２】
このアライメント処理は、被検眼ＥＬ、ＥＲに対して光学ヘッド部５ｌ、５ｒの光軸の位置を合わせるためのＸＹ方向のアライメントと、被検眼ＥＬ、ＥＲに光学ヘッド部５ｌ、５ｒ内の測定光学系のピントを合わせるためのＺ方向のアライメントとからなる。ＸＹ方向のアライメントは、制御部８０の制御に基づき、ＸＹアライメント光学系３１Ｌ、３１Ｒと、駆動機構ボックス５ｂ内のＸＹＺ駆動機構とによって自動的に実行される。また、Ｚ方向のアライメントは、制御部８０がＸＹＺ駆動機構を制御して、ＣＣＤ４６上の輝点像が鮮明になるように光学ヘッド部５ｌ、５ｒを光軸ＯＬ、ＯＲ（図３等参照）方向、すなわち前後方向に移動制御することにより自動的に実行される。
【００７３】
アライメント処理によって光学ヘッド部５ｌ、５ｒの位置が決定されると、そのときの光軸ＯＬ、ＯＲ間の距離が算出される。この光軸ＯＬ、ＯＲ間の距離は、左右被検眼ＥＬ、ＥＲのＰＤ値（瞳孔間距離）として、制御部８０の記憶装置やコンピュータ装置９０の記憶装置に格納される。
【００７４】
光学ヘッド部５ｌ、５ｒのアライメント処理が終了すると、被検眼ＥＬ、ＥＲの屈折検査に移行する。検眼装置２による屈折検査は、まず他覚屈折測定を行って被検眼ＥＬ、ＥＲの他覚値を求め（Ｓ５）、当該他覚値を基に自覚屈折測定を実行して被検眼ＥＬ、ＥＲの自覚値を取得するように構成されている（Ｓ６）。屈折検査が終了すると、取得された被検眼ＥＬ、ＥＲの他覚値及び自覚値を含む検査結果表示画面（図示省略）がモニタ装置９１に表示される（Ｓ７）。
【００７５】
ステップＳ５に示す他覚屈折測定は、光学ヘッド部５ｌ、５ｒの屈折力測定光学系３３Ｌ、３３Ｒによって実行される。屈折力測定光学系３３Ｌ、３３Ｒは、左右被検眼ＥＬ、ＥＲの球面度数Ｓ、乱視度数Ｃ及び乱視軸角度Ａを両眼同時に計測する。その測定形態は従来と同様である。測定された球面度数、乱視度数及び乱視軸角度の値（他覚値）は、制御部８０の記憶装置やコンピュータ装置９０の記憶装置などに格納される。
【００７６】
他覚屈折測定が終了すると、検査はステップＳ６に示す自覚屈折測定に移行する。検眼装置２による自覚屈折測定は、最初に片眼毎の測定を行い、その後に両眼開放状態での測定を行うようになっている。また、必要に応じて近用検査も行う。検眼装置２は、ガイドアナウンスや画面によって被検者４を誘導しながら自覚屈折測定を実行する。更に、検眼装置２は、固視光学系３２Ｌ、３２Ｒによって被検眼ＥＬ、ＥＲに視標を投影するとともに、その視標に対する被検者４の応答に基づいて検査を進めるように構成されている。検眼装置２による自覚屈折測定は、制御部８０が上記のソフトウェアを実行することにより自動的に行われる。したがって、検眼装置２によれば、オペレータが付いていなくても被検者４単独で検査を行うことができる。なお、ステップＳ３において、被検者４は入力操作の練習を事前に経験しているため、自覚屈折測定をスムーズに遂行できる。検眼装置２による自覚屈折測定の詳細な手順については後述する（図１４参照）。
【００７７】
屈折測定が終了すると、前述の検査結果表示画面がモニタ装置９１に表示される（Ｓ７）。オペレータは、仮枠検査等、被検眼ＥＬ、ＥＲの屈折矯正値を確認するための確認検査を行うか否かを選択する（Ｓ８）。確認検査を行わない場合（Ｓ８；Ｎ）、当該被検者４に対する検査は終了となる。一方、確認検査を行う場合には（Ｓ８；Ｙ）、確認検査を実行する（Ｓ９）。確認検査が終了すると、その検査結果を含む検査結果表示画面がモニタ装置９１に表示される（Ｓ１０）。以上で、検眼装置２による検査は終了となる。
【００７８】
（自覚屈折測定の処理手順）
ステップＳ６に示す自覚屈折測定について、図１４のフローチャートを参照して説明する。また、この自覚屈折測定において被検者４に向けて提示される各種の視標について、図１５〜図２１を参照して説明する。自覚屈折測定は、片眼遮蔽状態における片眼毎の測定（片眼自覚測定と呼ぶ；ステップＳ２０）、両眼開放状態における測定（両眼自覚測定と呼ぶ；ステップＳ３０）、近用度数を求めるための近用検査（ステップＳ４０）の順に実施される。なお、以下に示す自覚屈折測定の手順は、検眼装置２による検査フローの一例であり、検査順の変更や、各種検査内容の追加又は削除を適宜施すことができる。
【００７９】
（片眼自覚測定）
ステップＳ２０に示す片眼自覚測定は、例えば右被検眼ＥＲ、左被検眼ＥＬの順に行われる。各被検眼ＥＲ、ＥＬの測定は、例えば、次のような順序で実行される：（１）ランドルト環等の視標を用いた被検眼の視力測定（Ｓ２１）、（２）被検眼の球面度数を精密に測定するためのレッド・グリーンテスト（Ｓ２２）、（３）レッド・グリーンテストにより測定ができなかった場合に代替的に実行される＋１Ｄぼかしテスト（Ｓ２３）、（４）被検眼の乱視軸角度と乱視度数を測定するためのクロスシリンダテスト（Ｓ２４）。以下、特に指摘しない限り、右被検眼ＥＲの片眼自覚測定について説明することとする。左被検眼ＥＬの測定は、これと同様に実行される。
【００８０】
（１）視力測定
ステップＳ２１に示す視力測定では、例えば図１５（Ａ）に示すような視力測定用の視標（ランドルト環１００）が被検者４に提示される。この視標の提示処理は、制御部８０によりランドルト環１００の画像が光学ヘッド部５ｒの液晶表示器５３に表示され、その画像を固視光学系３２Ｒにより右被検眼ＥＲに投影させることによってなされる。提示されるランドルト環１００は、その切れ目１０１が８方向（上、下、右、左、右上、右下、左上、左下）のいずれかの方向に位置するように形成される。図１５（Ａ）に示すランドルト環１００は、右方向に切れ目１０１が形成されている。なお、４方向（上下左右）のいずれかに切れ目をもつランドルト環を使用することもできる。
【００８１】
また、制御部８０は、液晶モニタ６４ｑ及び／又はモニタ装置９１にもランドルト環１００を表示させるようにしてもよい。オペレータは、液晶モニタ６４ｑやモニタ装置９１の表示を視認することにより、当該被検者４が行っている検査内容や、当該被検者４に提示されている視標を把握することができる。
【００８２】
被検者４は、右被検眼ＥＲに提示されたランドルト環１００を視認し、切れ目１０１の方向を認識する。そして、レバー６ｈを操作して、確認した切れ目１０１の方向を指定することにより応答する。制御部８０は、指定された方向を示す入力信号をレバー６ｈから受信し、その方向を指す矢印マーク１０２を液晶表示器５３に表示させる（図１５（Ｂ）を参照）。
【００８３】
被検者４は、表示された矢印マーク１０２の指す方向を視認することにより、自分が認識した切れ目１０１の方向と、レバー６ｈから入力された方向とが同じであるかどうか確認することができる。すなわち、自分が認識した方向と入力された方向とが同じであると被検者４が判断した場合は、応答時にレバー６ｈが正確に操作されたことを意味し、これらの方向が異なると判断した場合は、レバー６ｈの操作にミスがあったことを意味している。操作ミスがあった場合、被検者４は、レバー６ｈの操作を慎重に行うようになるので、以後、操作ミスは減少するものと考えられ、検査のスムーズな進行が期待できる。
【００８４】
また、液晶モニタ６４ｑ及び／又はモニタ装置９１にランドルト環１００を表示する場合には、制御部８０により、レバー６ｈからの上記入力情報に基づく矢印マーク１０２を液晶モニタ６４ｑやモニタ装置９１に表示させてもよい。それにより、オペレータは、例えば、操作ミスの多い被検者に対して指示を与えたり、入力操作の練習（ステップＳ３）を再度行わせたりすることができる。
【００８５】
制御部８０は、前述の制御プログラムにしたがい、被検者４の応答の正誤に対応して視標を被検者４に順次提示することにより、右被検眼ＥＲの視力値を決定する。制御部８０は、その視力値を自身の記憶装置やコンピュータ装置９０の記憶装置に格納する。
【００８６】
（２）レッド・グリーンテスト
ステップＳ２２に示すレッド・グリーンテストでは、例えば図１６に示すようなＲＧチャート１１０が被検者４に提示される。ＲＧチャート１１０の提示処理は、制御部８０によりその画像が光学ヘッド部５ｒの液晶表示器５３に表示され、その画像を固視光学系３２Ｒにより右被検眼ＥＲに投影させることによってなされる。
【００８７】
ＲＧチャート１１０は、正方形状の枠１１１内に配置された複数の視標を含んで構成されている。枠１１１内の左側には赤地の矩形領域１１２ｌが形成され、右側には緑地の矩形領域１１２ｒが形成されている。赤地の矩形領域１１２ｌ内には、数字視標「６」と２重円からなるリング視標が設けられている。緑地の矩形領域１１２ｒ内には、数字視標「９」と同様のリング視標が設けられている。
【００８８】
被検者４は、ガイドアナウンスやオペレータにより、左右に並列配置された赤地及び緑地の視標の見え方を比較し、その方向にレバー６ｈを傾倒するように要求される。被検者４がレバー６ｈを操作して応答すると、その操作に基づく入力信号がレバー６ｈから制御部８０に送信される。制御部８０は、その入力信号に基づいて、液晶表示器５３に表示されたＲＧチャート１１０の左右の矩形領域１１２ｌ、１１２ｒのうち、レバー６ｈが傾倒された側を点滅表示に切り換える。
【００８９】
例えば、赤地の矩形領域１１２ｌの数字視標「６」と、緑地の矩形領域１１２ｒの数字視標「９」のうち、どちらが明瞭に見えるか比較するように要求された場合において、赤地の矩形領域１１２ｌの数字視標「６」、すなわち左側の視標の方が明瞭であると被検者４が判断したとする。そして、被検者４がレバー６ｈを左に傾倒させると、制御部８０は、液晶表示器５３を制御して、左側の赤地の矩形領域１１２ｌを点滅表示させる。被検者４がレバー６ｈの操作をミスして右側に傾倒してしまった場合、制御部８０は、右側の緑地の矩形領域１１２ｒを点滅表示させる。したがって、被検者４は、自分が操作ミスを犯したか否かを確認することができる。
【００９０】
（３）＋１Ｄぼかしテスト
ステップＳ２３に示す＋１Ｄぼかしテストは、被検者４の理解度などの理由でレッド・グリーンテストを適正に行えなかったときに代替的に実施されるもので、他覚値にＳ＋１．０Ｄを加えると視力値が０．５〜０．７程度に低下するという経験的知識を利用したテストである。具体的には、他覚値にＳ＋１．０Ｄを加えたときの視力値を測定し、その結果が想定されるターゲットの視力値０．５〜０．７であれば、その他覚値（Ｓ、Ｃ、Ａ）は正しいものとして判断する検査である。このとき、測定された視力値が０．５未満の場合は弱矯正と判断され、視力値０．５が得られるまでマイナスのＤ値が加えられる。逆に、視力値が０．７を超える場合には過矯正と判断され、視力値０．７が得られるまでプラスのＤ値が加えられる。なお、ターゲットとなる視力値は０．５〜０．７の範囲には限定されず、任意に設定することができる。
【００９１】
＋１Ｄぼかしテストは、図１５に示した前述のランドルト環１００等の視力チャートを用いて行われる。制御部８０は、この＋１Ｄぼかしテストにおいても、ステップＳ２１の視力測定の場合と同様に矢印マーク１０２を表示させて、被検者４がレバー６ｈの操作ミスの有無を確認できるようにしている。
【００９２】
（４）クロスシリンダテスト
ステップＳ２４に示すクロスシリンダテストでは、被検眼の乱視軸角度及び乱視度数が測定される。このクロスシリンダテストは、制御部８０がバリアブルクロスシリンダレンズ５９Ａ、５９Ｂを制御して、被検眼に対し各種の円柱度数を各種の方向に付加することにより実行される。
【００９３】
クロスシリンダテストは、左右一対の点群チャート（クロスシリンダドットチャート）を被検者４に提示して、左右被検眼ＥＬ、ＥＲについて同時に行われる。被検者４は、アナウンス等により、左右の点群チャートの見え方を比較して明瞭に見える側にレバー６ｈを傾倒するように要求される。被検者４がレバー６ｈを操作して応答すると、その操作に基づく入力信号がレバー６ｈから制御部８０に送信される。制御部８０は、その入力信号に基づいて、液晶表示器５３に表示された左右一対の点群チャート１２０、１２１のうち、レバー６ｈが傾倒された側の点群チャートの周囲に枠を表示させる。
【００９４】
図１７（Ａ）に、被検者４による当該一対の点群チャートの視認状態の一例を示す。本例では、左側の点群チャート１２０については明瞭に見えており、右側の点群チャート１２１についてはぼやけた状態に見えている。被検者４がレバー６ｈを左に傾倒させると、制御部８０は、液晶表示器５３を制御して、図１７（Ｂ）に示すように、左側の点群チャート１２０の周囲に枠１２３を表示させる。被検者４がレバー６ｈの操作をミスして右側に傾倒してしまった場合には、右側の点群チャート１２１の周囲に枠が表示される。したがって、被検者４は、操作ミスの有無を確認することができる。
【００９５】
また、図１８（Ａ）に、被検眼の乱視状態を測定するための放射チャート１３０の視認状態の一例を示す。当該放射チャート１３０は、通常の放射チャート同様に、中心位置Ｃの周囲に放射状に配置された複数の直線部１３１、１３２、１３３、・・・・を含んでいる。なお、同図には、直線部１３３及びその対象位置の直線部は濃厚に視認されており、他の直線部はぼやけて視認されている状態が示されている（同図中の破線は、ぼやけて見えていることを表している）。放射チャート１３０は、３０度おきに１２本の直線部が設けられている。直線部の本数は、測定精度等を考慮して適宜設定可能である。また、直線部を半円状に配置した構成としてもよい。
【００９６】
更に、液晶表示器５３には、中心位置Ｃを軸として放射チャート１３０上を図１８（Ａ）中の矢印方向に回転するマーク部Ｍが放射チャート１３０とともに表示される。マーク部Ｍの回転速度は、被検者４の年齢等に応じて変更可能であってもよい。被検者４は、アナウンス等により、回転するマーク部Ｍを、直線部１３１、１３２、１３３、・・・・のうち濃厚に見える位置に停止させるように要求される。被検者４は、レバー６ｈを操作することによりマーク部Ｍの回転を停止して応答する。マーク部Ｍの回転が停止されると、制御部８０は、液晶表示器５３の画面上におけるマーク部Ｍの停止位置の座標を取得し、その座標に基づいて被検眼の乱視軸角度を求める。なお、制御部８０の記憶装置には、液晶表示器５３の画面上の座標と、乱視軸角度との関係があらかじめ記憶されており、制御部８０は、この関係を参照することによって乱視軸角度を求めるようになっている。
【００９７】
例えば、図１８（Ａ）に示した視認状態の場合、被検者４は、回転するマークＭが直線部１３３に沿う位置に来たときにレバー６ｈを操作してマークＭを停止させる。このとき、図１８（Ｂ）に示すような表示状態となる。すると、制御部８０は、停止位置の座標、つまり直線部１３３の座標（角度）を基に、当該被検眼の乱視軸角度６０°を求める。取得された乱視軸角度の値は、制御部８０の記憶装置やコンピュータ装置９０の記憶装置に保存される。被検者４は、自身が濃厚に見えると判断した直線部の位置と、マーク部Ｍの停止位置とを比較することにより、レバー６ｈの操作ミスの有無を視覚的に確認することができる。
【００９８】
また、レバー６ｈの操作によりマーク部Ｍを両方向に回転可能としてもよい。例えば、レバー６ｈを右に傾倒させるとマーク部Ｍが右回転し、レバー６ｈを左に傾倒させるとマーク部Ｍが左回転するように制御部８０により制御を行う。被検者４は、レバー６ｈを左右に適宜傾倒操作してマーク部Ｍを目的の直線部の位置に停止させることにより応答を行う。
【００９９】
また、バリアブルクロスシリンダレンズ５９Ａ、５９Ｂによって角度や度数を被検眼に付加しながら、特に濃厚に見える直線部がなくなるような度数を求めることにより、被検眼の乱視度数を取得することができる。このとき、例えば、濃厚に見える直線部がない場合にレバー６ｈ上部のボタン６ｇを押下するように被検者４に対して要求するアナウンス等の出力を行う。
【０１００】
（両眼自覚測定）
片眼自覚測定が終了すると、ステップＳ３０に示す両眼自覚測定に移行する。両眼自覚測定は、例えば次の工程で実行される：（１）片眼自覚測定のクロスシリンダテストによる自覚値を調整する両眼バランステスト（Ｓ３１）、（２）両眼での視力測定（Ｓ３２）。また、被検眼ＥＬ、ＥＲの斜位検査（Ｓ３３）を更に行ってもよい。なお、両眼バランステストを適正に行えなかった場合には、前述の＋１Ｄぼかしテストを代替的に行ってもよい。
【０１０１】
（１）両眼バランステスト
ステップＳ３１の両眼バランステストは、図１９に示すようなＲＧチャートを被検眼ＥＬ、ＥＲに提示して行う。このとき、右光学ヘッド部５ｒの液晶表示器５３には、図１９（Ａ）に示すＲＧチャート１４０Ｒが表示され、左光学ヘッド部５ｌの液晶表示器５３には、図１９（Ｂ）に示すＲＧチャート１４０Ｌが表示される。したがって、右被検眼ＥＲにはＲＧチャート１４０Ｒが提示され、左被検眼ＥＬにはＲＧチャート１４０Ｌが提示される。図１９（Ｃ）は、左右の被検眼ＥＬ、ＥＲにＲＧチャート１４０Ｒ、１４０Ｌが各々提示されたときに、被検者４が視認するＲＧチャート１４０の状態、すなわち左右のＲＧチャート１４０Ｒ、１４０Ｌが融像され、一つのＲＧチャート１４０として認識された状態を示している。
【０１０２】
右被検眼ＥＲに提示されるＲＧチャート１４０Ｒは、図１９（Ａ）に示すように、正方形状の枠１４２内に配置された複数の視標を含んで構成されている。枠１４２内の上部の左側には赤地の矩形領域１４３ｌが形成され、右側には緑地の矩形領域１４３ｒが形成されている。赤地の矩形領域１４３ｌ内には、数字視標「６」と２重円からなるリング視標とが設けられている。緑地の矩形領域１４３ｒ内には、数字視標「９」とリング視標とが設けられている。更に、矩形領域１４３ｌ、１４３ｒの下部には、融像刺激として作用する視標１４１が設けられている。
【０１０３】
また、図１９（Ｂ）に示す左被検眼ＥＬ用のＲＧチャート１４０Ｌは、同様に、枠１４２内の下部の左側に赤地の矩形領域１４４ｌが設けられ、右側には緑地の矩形領域１４４ｒが形成されている。赤地の矩形領域１４４ｌ内には、数字視標「８」とリング視標とが設けられている。緑地の矩形領域１４４ｒ内には、数字視標「３」とリング視標とが設けられている。更に、矩形領域１４４ｌ、１４４ｒの上部には、融像刺激として作用する視標１４１が設けられている。
【０１０４】
両眼バランステストは、両被検眼ＥＬ、ＥＲにＲＧチャート１４０ｌ、１４０ｒを各々提示した状態で、各被検眼毎に行う。右被検眼ＥＲのバランス調整を行う場合、制御部８０は、右光学ヘッド部５ｒの液晶表示器５３を制御して、上部の矩形領域１４３ｌ、１４３ｒを点滅させる。そして、ガイドアナウンス等を出力して、左右の赤地及び緑地の視標の見え方を被検者４に比較させ、より明瞭に見える視標の方向にレバー６ｈを傾倒するように要求する。被検者４がレバー６ｈを操作して応答すると、その操作に基づく入力信号がレバー６ｈから制御部８０に送信される。制御部８０は、その入力信号に基づき、レバー６ｈが傾倒された側の矩形領域のみを点滅表示させるように液晶表示器５３を制御する。例えば、レバー６ｈが左に傾倒された場合には、図１９（Ｃ）に示すように、上部左側の矩形領域１４３ｌが点滅表示される。ここで、レバー６ｈが傾倒された側の矩形領域のみを常時表示（非点滅表示）に切り換えるように制御を行ったり、傾倒されなかった側の矩形領域を非表示として傾倒された側のみを表示するように制御を行ってもよい。一方、左被検眼ＥＬのバランス調整を行う場合は、下部の矩形領域１４４ｌ、１４４ｒが点滅され、同様の検査が行われる。このような両眼バランステストによれば、被検者４は、レバー６ｈに対する操作内容を認識することができるので、自身が操作ミスを犯したか否かを確認できる。
【０１０５】
（２）両眼視力測定
ステップＳ３２の両眼視力測定では、ランドルト環等の視力チャートが被検眼ＥＬ、ＥＲに提示され、片眼自覚測定による自覚値を付加した状態や裸眼状態にて測定を行う。それにより、片眼毎に行われた測定の結果を確認して最終的な自覚値を取得する。この両眼視力測定においても、図１５に示したように、レバー６ｈが傾倒された方向を表す矢印マーク１０２が液晶表示器５３に表示される。したがって、被検者４は、レバー６ｈに対する操作内容を認識でき、操作ミスの有無を確認することができる。
【０１０６】
（３）斜位検査
ステップＳ３３の斜位検査では、偏光フィルタを介して、左被検眼ＥＬにのみ提示される左右一対の横線と、右被検眼ＥＲにのみ提示される上下一対の縦線とからなる十字チャートが用いられる。この横線及び縦線は、液晶表示器５３により表示される（図９を参照）。十字チャートは、被検眼に斜位のない場合は十字形状に視認されるが、水平方向に斜位のある場合には横線が水平方向に変位して視認され、垂直方向に斜位のある場合には縦線が垂直方向に変位して視認される。
【０１０７】
図２０（Ａ）は、被検者４による十字チャートの視認状態の一例を示している。同図に示すように、被検者４は、左右一対の横線１５１、１５２と、上下一対の縦線１５３、１５４とを視認している。本例では、縦線１５３、１５４の位置はそのまま視認されており、横線１５１、１５２は、右側（横線１５２側）に変位して視認されている。被検者４には、十字チャート１５０とともにマークＮが提示される。このマークＮは、レバー６ｈの操作により、液晶表示器５３の画面上を２次元的に移動可能とされている。なお、片眼に抑制がある場合には、横線又は縦線の一方しか視認することができない。当該斜位検査では、水平方向の斜位（水平斜位）の測定と、垂直方向の斜位（垂直斜位）の測定とを実施する。
【０１０８】
水平斜位を測定するために、検眼装置２は、ガイドアナウンス等を出力することにより、レバー６ｈを操作して水平方向の２本の横線１５１、１５２の間の位置にマークＮを移動するように被検者４に要求する。図２０（Ｂ）に示すように、被検者４がレバー６ｈを操作してマークＮを横線１５１、１５２の間の位置に移動させると、制御部８０は、液晶表示器５３の画面上におけるマークＮの座標に基づいて、水平斜位の度合い（プリズム量）を取得する。
【０１０９】
水平斜位の測定が終了すると、検眼装置２は、垂直斜位を測定するために、レバー６ｈを操作して垂直方向の２本の縦線１５３、１５４の間の位置にマークＮを移動するように被検者４に要求する。被検者４がレバー６ｈを操作してマークＮを縦線１５３、１５４の間の位置に移動させると、制御部８０は、液晶表示器５３の画面上におけるマークＮの座標に基づいて、垂直斜位の度合い（プリズム量）を取得する。なお、制御部８０の記憶装置には、液晶表示器５３の画面上の座標と、水平方向及び垂直方向のプリズム量との関係があらかじめ記憶されており、制御部８０は、この関係を参照することによって被検眼の水平方向及び垂直方向のプリズム量を求めるようになっている。
【０１１０】
このような斜位検査によれば、被検者４は、マークＮの位置が目的の位置に移動されたかどうか認識できるので、レバー６ｈの操作ミスの有無を確認することが可能である。なお、制御部８０は、被検者がレバー６ｈを操作して特定した十字チャート１５０上の所定位置に対応するプリズム量を算出する、本発明の算出手段を構成している。
【０１１１】
（近用検査）
以上の（遠用）検査が終了したら、被検眼ＥＬ、ＥＲの近用度数（近用加入度）を測定するための近用検査（ステップＳ４０）に移行する。そのために、光学ヘッド部５ｌ、５ｒは各々内側に回転駆動されて、被検眼ＥＬ、ＥＲを輻輳させる。そして、図２１（Ａ）に示すような近用チャート１６０が液晶表示器５３に表示される。近用チャート１６０は、縦線１６１と横線１６２とを含んで構成されている。なお、図２１（Ａ）は、被検者４による近用チャート１６０の視認状態を示しており、同図中に点線で示す部分（縦線１６１）はぼやけて視認されていることを表している。
【０１１２】
検眼装置２は、ガイドアナウンス等により、近用チャート１６０の縦線１６１と横線１６２の見え方を比較するように被検者４を促し、縦線１６１の方が明瞭である場合にはレバー６ｈを上（前）又は下（後）に操作するように要求し、逆に横線１６２の方が明瞭である場合にはレバー６ｈを右又は左に操作するように要求する。制御部８０は、レバー６ｈの操作された方向に対応する線を囲む枠を表示する。例えば、図２１（Ａ）のように縦線１６１がぼやけて視認され、横線１６２が明瞭に視認されている場合に、レバー６ｈが右又は左に傾倒されて横線１６２が選択されると、制御部８０は、液晶表示器５３を制御して、図２０（Ｂ）に示すように、この横線１６２を囲む枠１６３を表示させる。一方、レバー６ｈが上又は下に傾倒された場合には、縦線１６１を囲む枠が表示される。
【０１１３】
したがって、被検者４は、レバー６ｈの操作内容を認識でき、操作ミスの有無を確認することができる。
【０１１４】
〔作用効果等〕
以上のような構成を備える本実施形態の検眼装置２の作用、効果について説明する。また、検眼装置２の変形例についても簡単に説明する。
【０１１５】
検眼装置２によれば、自覚屈折測定において提示される各種視標に対する被検者４の応答、すなわち、被検者４がジョイスティックレバー６ｈに対して行った操作内容を示す操作内容情報が被検者４に向けて表示されるので、被検者４は自己が行った操作の内容を認識することができ、レバー６ｈの操作ミスの有無を確認することができる。したがって、操作ミスが放置されることがなくなるので、検査をスムーズに行うことができる。また、検査精度の向上も図られる。
【０１１６】
図１５（Ｂ）等に示すように、レバー６ｈの操作内容情報が視標とともに被検者４に提示されるように構成されているので、その操作内容を容易に確認することができる。なお、レバー６ｈの操作に対応する操作内容情報を視標とは別個に表示することも可能である。例えば、図１５（Ａ）に示すランドルト環１００に対してレバー６ｈが右に傾倒された場合に、制御部８０により液晶表示器５３を制御して、ランドルト環１００を非表示とするとともに、矢印マーク１０２を表示するようにしてもよい。
【０１１７】
また、レバー６ｈの操作内容情報を音声で出力するようにしてもよい。例えば、ランドルト環１００に対しレバー６ｈが右に傾倒されたことに対応して、「右が選択されました」などのアナウンスを出力して被検者４に操作内容情報を報知するように構成してもよい。その場合、液晶表示器５３による操作内容情報の表示とともに音声を出力してもよいし、音声のみを出力するようにしてもよい。
【０１１８】
また、図１５（Ａ）のランドルト環１００に代表されるような、被検者４に方向を指定させることにより検査を行う視標を用いる場合には、矢印マーク１０２のように、その指定方向を明示する情報を被検者４に向けて表示することができる。その情報の形態は、用いる視標の種類に応じて適宜設定することができる。
【０１１９】
図１６に示すＲＧチャート１１０、図１７に示す一対の点群チャート１２０、１２１、あるいは図２１に示す近用チャート１６０のように、視標を構成する複数の部分の見え方を被検者４に比較させて、いずれかの部分を選択させることにより検査を行う視標を用いる場合には、その選択された部分を明示する情報を被検者４に向けて表示することができる。そのとき、ＲＧチャート１１０の場合のように、選択された部分を点滅表示させたり、点群チャート１２０、１２１、近用チャート１６０のように、選択された部分を囲む枠を表示させたりすることができる。なお、選択部分の表示色を変更したり、選択部分のみを表示させることによって、選択された部分を明示することも可能である。
【０１２０】
図１８に示す放射チャート１３０を用いて乱視検査を行うとき、マークＭの回転が停止された位置に対応する乱視軸角度が自動的に取得されるので、検査をスムーズに行うことができる。
【０１２１】
また、図１８に示す放射チャート１３０や、図２０に示す十字チャート１５０のように、視標上の位置を特定することによって検査を行う視標を用いる場合には、その特定された位置を明示する情報を被検者４に向けて表示することができる。当該情報の表示形態としては、特定位置を枠で囲む構成以外にも、特定位置の色を変化させたり、特定部分のみを表示させる構成を適宜採用することが可能である。
【０１２２】
また、検眼装置２では、被検者４に視標を提示する視標提示手段と、レバー６ｈの操作内容情報を被検者４に向けて表示する表示手段とを、単一の液晶表示器５３によって構成することにより、装置構成の簡略化が図られている。なお、本発明に係る検眼装置としては、視標提示手段と表示手段とを別々の液晶表示器等の表示装置によって構成することももちろん可能である。
【０１２３】
また、検眼装置２は、検者に向けて表示する検者用表示手段としての液晶モニタ６４ｑやモニタ装置９１に接続され、制御部８０により、被検者４によるレバー６ｈの操作内容情報がこの検者用表示手段にも表示可能とされている。それにより、検者は、検査の進捗状況や、被検者４が操作ミスを犯す頻度等を確認することができるため、被検者４に対して的確にアドバイスを提供することができる。したがって、検査を円滑に行うことが可能となる。
【０１２４】
［第２の実施形態］
本発明に係る検眼装置の第２の実施形態について説明する。本実施形態の検眼装置は、第１の実施形態の検眼装置２とほぼ同様の構成を備えている。第１の実施形態との相違点は、被検者に提示する視標の形態である。本実施形態の検眼装置は、それぞれ個別に検査に使用される複数の視標を含んだ視力表を提示するようになっている。当該視力表としては、例えば、複数のランドルト環が視力値毎に配列された従来からの視力表や、近年急速に普及しているｌｏｇＭＡＲ方式の視標（ランドルト環やアルファベット視標等）が配列された視力表などが該当する。以下、第１の実施形態の検眼装置２の構成を参照しつつ、本実施形態の検眼装置（同様に符号２で示す）について、ｌｏｇＭＡＲ方式のランドルト環を視標とする視力表を例にとって説明する。
【０１２５】
図２２は、本実施形態の検眼装置２により実行される検査手順の一例を示すフローチャートである。まず、被検者４等が所定の検査開始操作を行うと、制御部８０の制御により、図２３に示すようなｌｏｇＭＡＲ方式の視力表２００が光学ヘッド部５ｌ、５ｒの液晶表示器５３により表示され、被検者４に提示される（Ｓ５１）。この視力表２００には、ｌｏｇＭＡＲ方式の視力値「１．０、０．９、０．８、・・・・」が縦方向に配列表示された視力値表示部２０１、視力値１．０に対応する複数のランドルト環が横方向に配列表示された視標列２１０、視力値０．９に対応する複数のランドルト環が横方向に配列表示された視標列２２０、視力値０．８に対応する複数のランドルト環が横方向に配列表示された視標列２３０、・・・・が含まれている。また、視力表２００上には、視力値１．０に対応する視標列２１０の周囲を囲む枠２０５が表示される。なお、視標列２１０以外の視標列の周囲に当初の枠２０５が表示されていてもよい。この枠２０５は、本発明にいう操作内容情報を構成する。
【０１２６】
被検者４は、検眼装置２が出力する音声メッセージ等にしたがって、ジョイスティックレバー６ｈを下方向に傾倒させて枠２０５を視標列２２０、２３０、・・・と下方に移動させることにより、検査の初期値とする視力値のランドルト環を選択する（Ｓ５２）。目的の視力値を通過してしまったときは、レバー６ｈを上に傾倒させて枠２０５を上方に移動させて目的の視力値を選択する。なお、視力表２００の全体が液晶表示器５３に一度に表示されない場合は、レバー６ｈの上下への傾倒に応じた枠２０５の上下移動に対応して、画面がスクロールアップ／スクロールダウンされる。なお、各視力値のランドルト環のサイズに応じて、表示される枠２０５の大きさが変更されることが好ましい。
【０１２７】
ステップＳ５２における視力値選択操作は、例えば、レバー６ｈを下（上）に１回傾倒させると、視力値が１ステップ下がる（上がる）ようになっている。すなわち、レバー６ｈの１回目の下方傾倒操作が行われると、制御部８０は、レバー６ｈからの入力信号に応じて液晶表示器５３を制御し、視標列２１０を囲んでいた枠２０５を非表示にするとともに、視力値０．９に対応する視標列２２０を囲む枠２０５を表示させる。続いて、２回目の傾動操作が行われると、同様にして、視標列２２０を囲んでいた枠２０５が非表示にされるとともに、視力値０．８に対応する視標列２３０を囲む枠２０５が表示される（以下同様）。レバー６ｈの上方傾倒操作についても同様である。それにより、視標列２１０を囲んでいた枠２０５は、目的の視標列２３０を囲む位置に移動される。また、レバー６ｈが傾倒されている間、所定間隔で視力値をステップアップ／ステップダウンさせ、レバー６ｈがニュートラルの位置に復帰されたときの視力値が選択されるようにしてもよい。
【０１２８】
図２４は、ステップＳ５２において被検者４がレバー６ｈを下に２回傾倒させて視力値０．８を選択したときの視力表２００の表示形態を表している。被検者４は、音声メッセージ等にしたがって、この視力値０．８のランドルト環２３１〜２３５のうち最初に検査を行うものを選択する（Ｓ５３）。例えば、レバー６ｈが左に傾倒されると最も左のランドルト環２３１が選択されてその周囲に枠２０５が表示され、レバー６ｈが右に傾倒されると最も右のランドルト環２３５が選択されてその周囲に枠２０５が表示される。また、レバー６ｈを左右に傾倒させることにより任意のランドルト環を選択できるようにしてもよい。
【０１２９】
図２５は、ステップＳ５３において最も左のランドルト環２３１が選択されたときの視力表２００の表示形態を示している。被検者４は、このランドルト環２３１を見て、切れ目があると認識する方向にレバー６ｈを傾倒する（Ｓ５４）。制御部８０は、液晶表示器５３を制御して、レバー６ｈの傾倒方向を表す矢印（操作内容情報）をランドルト環２３１近傍に表示させる（Ｓ５５）。図２６は、レバー６ｈが左に傾倒されたときの視力表２００の表示形態を示しており、レバー６ｈの傾倒方向（左）に応じた矢印２０６がランドルト環２３１の左側に表示されている。
【０１３０】
被検者４は、この矢印が表示されている間、当該ランドルト環２３１に対する再検査を行うことができる（Ｓ５６）。すなわち、制御部８０は、矢印が表示されている間（計時の開始から終了までの間）にレバー６ｈが操作されると、当該矢印を非表示にするとともに、新たなレバー６ｈの傾倒方向に別の矢印を表示させる。このような再検査は、検査時間を考慮して、例えば３回まで行うことができる。この再検査処理のために、制御部８０は、内蔵のタイマにより矢印の表示と同時に所定時間（例えば５秒間）の計時を開始し、計時が終了したら矢印を非表示にするとともに、次のランドルト環２３２に枠２０５を移動させ、このランドルト環２３２に対する検査に移行する（Ｓ５７）。
【０１３１】
このようにして、最初の視力値のランドルト環に対する検査を順次行い、当該視力値における検査を終了する（Ｓ５８）。このとき、当該視力値のランドルト環全てを検査してもよいし、そのうちのいくつかのみを検査してもよい。また、所定個数（例えば３つ）のランドルト環に対して連続して正解又は不正解したことに対応して次の視力値に移行するようにしてもよい。また、当該視力値の全てのランドルト環に対する検査の終了前にボタン６ｇが押下されたら、当該視力値における検査を終了するようにしてもよい。当該視力値における検査の終了を示すために、当該視力値の全てのランドルト環の周囲に枠２０５が表示される（つまり、図２３に示す表示形態に戻る）。
【０１３２】
被検者４は、更に検査を行う必要があると判断する場合には（Ｓ５９；Ｙ）、レバー６ｈを上下に傾倒させて次の視力値に枠２０５を移動させ、同様に検査を行う（Ｓ５２に戻る）。一方、更なる検査は不要と判断する場合には（Ｓ５９；Ｎ）、視力表２００による検査は終了となる。
【０１３３】
なお、ステップＳ５９における検査の続行／終了の判断は、検査の正解の度合などに応じて制御部８０により自動的に行うようにしてもよい。また、ステップＳ６０における次の視力値の選択処理についても、同様に制御部８０が自動的に行ってもよい。
【０１３４】
本実施形態の検眼装置２によれば、被検者４は、一覧表示された複数の視標から所望の視標を選択するためにレバー６ｈに対して行った操作内容を、枠２０５の位置によって認識できるので、操作ミスの有無を容易に確認することができる。また、枠２０５の位置を確認しながら視標を選択することができるので、目的の視標を確実に選択することが可能である。
【０１３５】
また、制御部８０により、液晶表示器５３と同様の画面をモニタ装置９１等の検者用表示手段にも表示させることができる。それにより、オペレータは、当該被検者４の検査の進捗状況や検査に対する理解の度合を把握することができる。
【０１３６】
また、指定された視標を被検者４に明示する操作内容情報は、上述の枠２０５に限定されるものではない。例えば、指定されている視標を他の視標とは異なる色で表示させる色情報としての操作内容情報や、指定された視標のみを明るく表示させる明度情報としての操作内容情報などを適用することができる。より一般に、レバー６ｈ等の操作手段により指定された視標を他の視標とは異なる表示状態とすることにより、指定された視標を明示する操作内容情報であれば十分である。
【０１３７】
［第３の実施形態］
本発明に係る検眼装置の第３の実施形態について説明する。本検眼装置は、被検者が操作ミスを犯した場合に、そのミスに好適に対処するための構成を提供する。図２７は、本検眼装置の構成の一例を示すブロック図である。なお、本検眼装置は、第１の実施形態の検眼装置２と同様の構成を備えている。同様の部分については、同一の符号を付して説明することとする。
【０１３８】
図２７に示す検眼装置３００は、各々液晶表示器５３を備えた光学ヘッド部５ｌ、５ｒと、ジョイスティックレバー６ｈと、このレバー６ｈの上部に配置されたボタン６ｇと、液晶モニタ６４ｑと、後述の処理を実行する制御部３０１とを含んで構成されている。制御部３０１は、オペレータ用のコンピュータ装置９０と接続されており、このコンピュータ装置３０１にはモニタ装置９１が設けられている。制御部３０１は、装置各部を制御するための制御プログラムを格納したＲＯＭ等の記憶装置と、この制御プログラムを実行するＣＰＵ等の演算制御装置とを含んで構成されている。
【０１３９】
被検者４が、提示された視標に対する応答をレバー６ｈを操作して入力すると、制御部３０１は、その入力信号を基に液晶表示器５３を制御して、その操作内容情報を点滅表示させる。このとき、操作内容情報は視標とともに表示されることが好ましい。そして、制御部３０１は、内蔵するタイマによって所定時間（例えば５秒間）の計時を行う。この所定時間の間にレバー６ｈが更に操作された場合、制御部３０１は、液晶表示器５３を制御して、既に表示されている操作内容情報の表示を終了させるとともに、新たに入力された操作内容情報を表示させる。この再入力処理は、上記所定時間の間に何度も行うことができる。なお、レバー６ｈが新たに操作されたことに対応して、所定時間の計時を再度行うようにしてもよい。一方、所定時間の計時が終了すると、制御部３０１は、液晶表示器５３に点滅表示されていた操作内容情報を常時表示に切り換え、その操作内容情報を確定されたものとして記憶装置等に保存する。
【０１４０】
このような制御形態によれば、被検者４は、次のようにして操作ミスに対処できる。以下、図１５（Ａ）に示したランドルト環１００に対する応答を入力するケースについて説明する。被検者４が、右側に切れ目を有するランドルト環１００に対してレバー６ｈを下方向に傾倒させたとする。すると、制御部３０１は、液晶表示器５３を制御して、図２８（Ａ）に示すように、ランドルト環１００の下側に下向きの矢印マーク１０２Ｄを点滅表示させるとともに、タイマにより５秒間の計時を開始する。被検者４が、矢印マーク１０２Ｄの向きを見て操作ミスに気付き、５秒間の計時が終了する前にレバー６ｈを右側に傾倒させると、制御部３０１は、その入力信号に基づいて液晶表示器５３の制御を行い、新たな操作内容情報として、図２８（Ｂ）に示す右向きの矢印マーク１０２Ｒを表示させる。したがって、被検者４は、レバー６ｈの操作ミスに気付いたとき、迅速にかつ容易に応答を再入力できる。また、被検者４が操作ミスはなかったと判断し、再入力が行われずに５秒間が計時された場合、制御部３０１は、液晶表示器５３を制御して、下向きの矢印マーク１０２Ｄを店頭表示から常時表示に切り換える。他の視標についても、同様に再入力を行えるように構成することができる。なお、応答の再入力が可能な回数（例えば３回）をあらかじめ設定しておくことにより、検査がいたずらに長引いてしまう事態を回避するようにしてもよい。
【０１４１】
検査の最初に入力された被検者４の年齢等に応じて、上記所定時間（再入力可能時間）を変更可能としてもよい。例えば６０歳以上の被検者に対する再入力可能時間を長め（例えば８秒）に設定することができる。また、被検者４の操作ミスの頻度に応じて再入力可能時間を変更してもよい。例えば、操作ミスを所定回数（例えば３回）行った場合に、再入力可能時間をより長い時間に変更するように構成して、操作ミスの有無を慎重に判断できるようにしてもよい。
【０１４２】
（変形例）
本実施形態の一変形例を説明する。本変形例の検眼装置３００′（図示省略）は、図２７に示したブロック図と同様の構成を備えている。この検眼装置３００′では、ボタン６ｇを押下することにより、視標に対する応答の再入力が可能となる。
【０１４３】
視標に対する応答がレバー６ｈから入力されると、制御部３０１は、レバー６ｈからの入力信号に基づく操作内容情報を液晶表示器５３に表示させる。その後にボタン６ｇが押下されると、制御部３０１は、ボタン６ｇからの入力信号に基づいて当該操作内容情報を非表示とする。つまり、被検者４に視標のみを提示する状態に戻す。更に、制御部３０１は、視標に対する応答の再入力を可能な状態に検眼装置３００′を制御する。すなわち、制御部３０１は、レバー６ｈからの応答の再入力を有効なものとして受け付けるとともに、当該再入力における操作内容情報を液晶表示器５３に表示させる。
【０１４４】
このような検眼装置３００′によれば、被検者４は、応答の入力後に操作ミスに気付いた場合に、ボタン６ｇを押下することによってその入力をクリアするとともに、応答を再入力することができる。したがって、被検者４は、操作ミスを犯した場合に、そのミスに好適に対処することができる。
【０１４５】
なお、検眼装置３００のように再入力可能時間をあらかじめ設定し、その時間内に限って再入力可能に構成できる。また、再入力可能時間を被検者４に認識させるためのメッセージやマーク等を提示したり、アナウンスを出力するようにしてもよい。更に、再入力可能な回数（例えば３回まで）を設定することもできる。
【０１４６】
本実施形態の検眼装置３００によれば、被検者４は、操作ミスに気付いたときに、迅速かつ容易に再入力を行うことができる。
【０１４７】
本発明に係る検眼装置は、以上のような構成以外にも、レバー６ｈの操作ミスに対する再入力要求を入力するために操作されるボタン６ｇやレバー６ｈ等の再入力要求操作手段と、その操作に対応して応答の再入力を可能とするとともに、再入力に基づく新たな操作内容情報を液晶表示器５３に表示させる制御手段とを備えていれば十分である。
【０１４８】
［第４の実施形態］
本発明に係る検眼装置の第４の実施形態について説明する。本検眼装置は、検査時におけるレバー６ｈ等の操作方法の練習を好適に行うための構成を備えている。この操作方法の練習は、図１３のフローチャートのステップＳ３に示したもので、実際の検査の前に行うものである。
【０１４９】
本実施形態の検眼装置４００（図示省略）は、第１の実施形態の検眼装置２と同様の構成を備えている。以下、図１２に示すブロック図を参照して説明する。レバー６ｈ等の操作方法を被検者４に練習させるために、制御部８０は、検査の各工程の練習画面を液晶表示器５３に表示させる。液晶表示器５３は、本発明にいう「練習画面表示手段」を構成している。被検者４は、ガイドアナウンスやメッセージにしたがって練習を行う。
【０１５０】
図２９（Ａ）は、視力測定におけるレバー６ｈ等の操作方法を練習するために被検者４に提示される練習画面の表示形態を示している。同図に示す練習画面１０００は、図１５に示したものと同様のランドルト環１００と、ガイド用のメッセージ１００１とを含んでいる。メッセージ１００１には、当該画面の目的「視力検査の入力練習」と、操作方法「切れ目の方向にレバーを倒してください」とが記載されている。練習画面１０００では、ランドルト環１００の切れ目１０１の方向に矢印マーク１０２が表示されている。被検者４は、矢印マーク１０２を視認することにより、メッセージ１００１中の「切れ目の方向」は、この矢印マーク１０２の方向であると容易に認識でき、レバー６ｈを矢印マーク１０２の方向に傾倒すればよいことを認識することができる。
【０１５１】
被検者４がレバー６ｈを傾倒させると、制御部８０は、その入力信号に基づいてレバー６ｈの操作方向と矢印マーク１０２の方向とが同じであるか判断する。レバー６ｈの操作方向と矢印マーク１０２の方向とが適合していると判断した場合、制御部８０は、液晶表示器５３を制御して、メッセージ１００１を非表示にするとともに、メッセージ「正解です」１００２を表示させる。更に、制御部８０は、矢印マーク１０２を点滅表示させて、操作が正確に行われたことを強調する。メッセージ１００２及び矢印マーク１０２の点滅表示は、本発明にいう「正解情報」である。なお、一方の正解情報のみを表示するようにしてもよい。また、正解情報を音声出力するようにしてもよい。
【０１５２】
一方、図示は省略するが、操作方向と矢印マーク１０２の方向とが適合しないものと判断した場合、制御部８０は、「レバーの操作が間違っています。再度入力してください。」等のメッセージを表示させて、入力操作を再度行わせる。当該メッセージは、本発明の「不正解情報」である。なお、不正解情報を音声出力するようにしてもよい。
【０１５３】
なお、本実施形態の検眼装置４００は、ＲＧテスト、クロスシリンダテスト、斜位検査、近用検査、ｌｏｇＭＡＲ方式の視標による視力検査などにおける操作方法の練習画面についても同様に表示することができる。
【０１５４】
このような検眼装置４００によれば、その光学ヘッド部５ｌ、５ｒをのぞき込んだ状態で入力操作の練習を行うように構成されているので、従来のように検者用のモニタ装置９１を使用する必要がない。それにより、被検者４は、入力操作の練習を容易に行うことができる。また、検眼装置４００によれば、練習が自動的に進行されるので、被検者４単独でも行うことができる。更に、実際に検査を行うときと同じ状態で練習を行うことができるので、被検者４による操作方法の理解度の向上が期待できる。
【０１５５】
［第５の実施形態］
本発明に係る検眼装置の第５の実施形態について説明する。本検眼装置は、被検者４によるレバー６ｈやボタン６ｇの操作に対応する操作内容情報を表示する表示手段の構成例に関する。上述の各実施形態においては、操作内容情報を液晶表示器５３によって表示していた。更に、その液晶表示器５３は、視標の提示にも用いられていた。本実施形態の検眼装置は、視標を被検者４に提示する視標提示手段と、操作内容情報を被検者４に向けて表示する表示手段とを別構成とするものである。
【０１５６】
図３０は、本実施形態の検眼装置５００の視標提示手段及び表示手段の構成を示している。図３０（Ａ）は、その側面図であり、図３０（Ｂ）は、視標提示手段側から見た正面図である。ここで、図３０（Ａ）は、図５の一部分の変形であり、符号５４は、同図に示したハーフミラーである。また、図３１は、検眼装置５００の制御系の構成を示している。検眼装置５００は、図３０に示す構成を各光学ヘッド部５ｌ、５ｒにそれぞれ内蔵している。
【０１５７】
図３０（Ａ）、（Ｂ）に示すように、検眼装置５００は、各種の視標を被検者４に提示するための視標板５０１と、この視標板５０１を回転させるためのパルスモータ５０２と、視標板５０１側の面に複数のＬＥＤ（発光ダイオード；発光手段）５０３Ｂが配列されたＬＥＤ配列部５０３とを含んで構成されている。ＬＥＤ配列部５０３は、その中心位置が固視光学系３２Ｌ、３２Ｒの光軸上に配置されるように設けられている。このＬＥＤ配列部５０３の中心部分には、光源５０３Ａが設けられている。
【０１５８】
視標板５０１の外周近傍には、各種の視標５０１Ａが配列されている。なお、図３０（Ｂ）ではランドルト環のみが示されているが、ＲＧチャート、点群チャート、放射チャート、十字チャート、近用チャート、ｌｏｇＭＡＲ方式の視力表などが描かれている。また、視標板５０１は、プラスティックや強化ガラス等の透明な材質で構成され、光源５３を点灯させることにより、固視光学系３２Ｌ、３２Ｒの光軸上に位置する視標５０１が被検眼ＥＬ、ＥＲに投影される。
【０１５９】
検眼装置５００は、図３１に示すように、制御部５１０を中心に構成されている。この制御部５１０は、制御プログラムを格納したＲＯＭ等の記憶装置と、当該制御プログラムを実行するＣＰＵ等の演算制御装置とを含んで構成されている。制御部５１０は、各光学ヘッド部５ｌ、５ｒのパルスモータ５０２、ＬＥＤ配列部５０３及び光源５０３Ａの動作をそれぞれ制御する。より具体的には、制御部５１０は、パルスモータ５０２を制御して視標板５０１を回転させることにより、（固視光学系３２Ｌ、３２Ｒの）光軸上に目的の視標５０１Ａを配置させる。また、制御部５１０は、ＬＥＤ配列部５０３上の各ＬＥＤ５０３Ｂの点灯／消灯をそれぞれ制御する。また、制御部５１０は、光源５０３Ａの点灯／消灯の制御も行う。このような構成の検眼装置５００は、次のような動作を実行する。
【０１６０】
まず、被検眼ＥＬ、ＥＲの視力検査を行う場合、制御部５１０は、パルスモータ５０２を制御して視標板５０１を回転させてランドルト環を光軸上に配置させるとともに、光源５０３Ａを点灯させる。それにより、被検眼ＥＬ、ＥＲにランドルト環が提示される。被検者がレバー６ｈを操作して応答を行うと、制御部５１０は、その入力信号に基づいてＬＥＤ配列部５０３を制御することにより、レバー６ｈが傾倒された方向に操作内容情報を表示させる。例えば、図１５（Ｂ）に示したような矢印マーク１０２を形成するように、複数のＬＥＤ５０３Ｂを点灯させる。
【０１６１】
また、クロスシリンダテストを行う場合、制御部５１０は、視標板５０１を回転させて点群チャートを光軸上に配置させるとともに、光源５０３Ａを点灯させ、被検眼ＥＬ、ＥＲに点群チャートを提示させる。被検者がレバー６ｈを操作して応答を行うと、制御部５１０は、その入力信号に基づいてＬＥＤ配列部５０３を制御し、レバー６ｈの操作に対応する操作内容情報を表示させる。例えば、図１７（Ｂ）に示したような枠１２３を形成するように、複数のＬＥＤ５０３Ｂを点灯させる。
【０１６２】
その他の検査を行う場合でも、適当なＬＥＤ５０３Ｂを点灯又は点滅させることにより、第１の実施形態の検眼装置２と同様の作用を実現することができる。それにより、被検者４は、操作ミスの有無を確認することが可能となる。
【０１６３】
なお、視標板５０１の代わりに、透過型の液晶表示器、すなわち背景光源（例えば光源５０３Ａ）からの光束が透過するように構成された液晶表示器により、被検者に視標を提示するように構成してもよい。また、ＬＥＤ配列部５０３に代えて液晶表示器等を適用してもよい。更に、本発明の発光手段としては、ＬＥＤ以外の部材を用いてもよい。例えば、矢印形状の透光部を有する遮蔽板の背景にランプを設け、このランプを点灯させることにより矢印マーク１０２を形成することができる。
【０１６４】
［その他の適用例］
本発明に係る検眼装置のその他の適用例について説明する。本例は、偏光特性を利用することにより左右被検眼にそれぞれ異なる視標を同時に提示するために用いられる視力表（装置）を視標提示手段として備えた検眼装置に関する。この視力表により提示される視標は偏光視標などと呼ばれる（例えば特開平７−４３６５１号公報等を参照）。
【０１６５】
当該視力表には、ランドルト環や放射チャート、更には両眼視機能検査用の視標など、任意の視標が複数設けられている。この視力表の視標提示面（被検者に対向する面）には、互いに直交する方向に偏光軸を有する偏光フィルムが貼り付けられている。そして、これら２方向の偏光軸を有する左右一対の偏光レンズを備えたメガネ（偏光メガネなどと呼ばれる）を被検者に装用させることにより、左右被検眼に対して互いに異なる視標が提示されるようになっている。例えば、左右被検眼に同時に提示される視標を第１の視標及び第２の視標とし、第１の視標に付与される偏光特性を垂直方向、第２の視標に付与される偏光特性を水平方向とするとともに、左被検眼に付与される偏光特性を垂直方向、右被検眼に付与される偏光特性を水平方向とする。このとき、偏光特性の設定を考慮すると、左被検眼には第１の視標が提示され、右被検眼には第２の視標が提示されることとなる。ここで、上記偏光メガネは、本発明の偏光手段を構成している。なお、この偏光手段としては、そのような偏光メガネ以外にも、第１の視標と同一方向の偏光特性を左被検眼に付与するとともに、第２の視標と同一方向の偏光特性を右被検眼に付与するような任意の偏光素子、例えば偏光板等を用いることができる。
【０１６６】
更に、本例の検眼装置には、視力表に提示される視標の指定や視標に対する応答を行うための操作レバー、トラックボール、操作パネル等の操作手段が設けられている。被検者は、上述の第２の実施形態の場合と同様の要領で操作を行う。例えば、被検者が視標の選択を行うと、視力表はその視標のみを点灯させたり、その視標の周囲に枠を表示させるなどして、当該視標を他の視標とは異なる表示状態で表示する。また、視標に対する応答を操作入力すると、視力表は操作手段に対する操作内容を操作内容情報として表示する。このように、本例では、当該視力表が本発明の表示手段を構成する。なお、以上のような表示制御は、操作手段及び視力表の双方に接続されたコンピュータ装置、あるいは視力表内に設けられたＣＰＵ等の演算制御装置により実行される。
【０１６７】
以上に詳述した構成は、本発明に係る検眼装置を実施するための一構成例にすぎないものである。したがって、本発明の要旨の範囲内において各種の変形を施すことが可能であることはいうまでもない。
【図面の簡単な説明】
【０１６８】
【図１】本発明に係る検眼装置の第１の実施形態の外観構成の一例の概略を示す側面図である。
【図２】本発明に係る検眼装置の第１の実施形態の外観構成の一例の概略を示す斜視図である。
【図３】本発明に係る検眼装置の第１の実施形態が備える測定光学系の構成の一例を示す概略図である。
【図４】本発明に係る検眼装置の第１の実施形態が備える測定光学系の構成の一例を示す概略図である。
【図５】本発明に係る検眼装置の第１の実施形態が備える測定光学系の構成の一例を示す概略図である。
【図６】本発明に係る検眼装置の第１の実施形態が備える測定光学系の構成の一例を示す概略図である。
【図７】本発明に係る検眼装置の第１の実施形態が備える測定光学系の構成の一例を示す概略図である。
【図８】本発明に係る検眼装置の第１の実施形態が備える測定光学系の構成の一例を示す概略図である。
【図９】本発明に係る検眼装置の第１の実施形態が備える測定光学系の構成の一例を示す概略図である。図９（ａ）は被検者の左眼に提示される視標の概略構成を示し、図９（ｂ）は右眼に提示される視標の概略構成を示し、図９（ｃ）はこれら左右の視標が融像されたときの視認状態の概略を示している。
【図１０】本発明に係る検眼装置の第１の実施形態が備える測定光学系の構成の一例を示す概略図である。
【図１１】本発明に係る検眼装置の第１の実施形態が備える測定光学系の構成の一例を示す概略図である。
【図１２】本発明に係る検眼装置の第１の実施形態が備える制御系の構成の一例を示す概略ブロック図である。
【図１３】本発明に係る検眼装置の第１の実施形態により実行される検査手順の一例を示すフローチャートである。
【図１４】本発明に係る検眼装置の第１の実施形態により実行される検査手順の一例を示すフローチャートである。
【図１５】本発明に係る検眼装置の第１の実施形態により被検者に向けて表示される画像の表示形態の一例を示す概略図である。図１５（Ａ）は、視力測定のために被検者に提示される視力チャート（ランドルト環）の形態を示している。また、図１５（Ｂ）は、この視力チャートに対する被検者の応答に基づく操作内容情報の表示形態を示している。
【図１６】本発明に係る検眼装置の第１の実施形態により被検者に向けて表示される画像の表示形態（レッド・グリーンチャート）の一例を示す概略図である。
【図１７】本発明に係る検眼装置の第１の実施形態により被検者に向けて表示される画像の表示形態及び被検者による当該画像の視認状態の一例を示す概略図である。図１７（Ａ）は、乱視の測定のために被検者に提示される左右一対の点群チャートの表示形態及び被検者による視認状態を示している。また、図１７（Ｂ）は、この点群チャートに対する被検者の応答に基づく操作内容情報の表示形態を示している。
【図１８】本発明に係る検眼装置の第１の実施形態により被検者に向けて表示される画像の表示形態及び被検者による当該画像の視認状態の一例を示す概略図である。図１８（Ａ）は、乱視の測定のために被検者に提示される放射チャートの表示形態及び被検者による視認状態を示している。また、図１８（Ｂ）は、この放射チャートに対する被検者の応答に基づく操作内容情報の表示形態を示している。
【図１９】本発明に係る検眼装置の第１の実施形態により被検者に向けて表示される画像の表示形態の一例を示す概略図である。図１９（Ａ）は、被検眼の球面度数を精密に測定するレッド・グリーンテストを行うために被検者の右被検眼に提示されるレッド・グリーンチャートの形態を示している。図１９（Ｂ）は、左被検眼に提示されるレッド・グリーンチャートの形態を示している。また、図１９（Ｃ）は、左右のレッド・グリーンチャートが融像された状態及び被検者の応答に基づく操作内容情報の表示形態を示している。
【図２０】本発明に係る検眼装置の第１の実施形態により被検者に向けて表示される画像の表示形態の一例を示す概略図である。図２０（Ａ）は、斜位検査のために提示される十字チャートの被検者による視認状態の一例を示している。また、図２０（Ｂ）は、この十字チャートに対する被検者の応答に基づく操作内容情報の表示形態を示している。
【図２１】本発明に係る検眼装置の第１の実施形態により被検者に向けて表示される画像の表示形態及び被検者による当該画像の視認状態の一例を示す概略図である。図２１（Ａ）は、近用検査のために被検者に提示される近用チャートの表示形態及び被検者による視認状態を示している。また、図２１（Ｂ）は、この近用チャートに対する被検者の応答に基づく操作内容情報の表示形態を示している。
【図２２】本発明に係る検眼装置の第２の実施形態により実行される検査手順の一例を示すフローチャートである。
【図２３】本発明に係る検眼装置の第２の実施形態により被検者に向けて表示されるｌｏｇＭＡＲ方式の視力表の表示形態の一例を示す概略図である。
【図２４】本発明に係る検眼装置の第２の実施形態により被検者に向けて表示されるｌｏｇＭＡＲ方式の視力表に対する被検者の応答に基づく表示形態を示している。
【図２５】本発明に係る検眼装置の第２の実施形態により被検者に向けて表示されるｌｏｇＭＡＲ方式の視力表に対する被検者の応答に基づく表示形態を示している。
【図２６】本発明に係る検眼装置の第２の実施形態により被検者に向けて表示されるｌｏｇＭＡＲ方式の視力表に対する被検者の応答に基づく表示形態を示している。
【図２７】本発明に係る検眼装置の第３の実施形態が備える制御系の構成の一例を示す概略ブロック図である。
【図２８】本発明に係る検眼装置の第３の実施形態により被検者に向けて表示される画像の表示形態の一例を示す概略図である。図２８（Ａ）は、ランドルト環に対する被検者の応答に基づく操作内容情報が点滅表示されている状態を示している。また、図２８（Ｂ）は、被検者が応答を再入力したときの操作内容情報の表示状態を示している。
【図２９】本発明に係る検眼装置の第４の実施形態により被検者に向けて表示される画像の表示形態の一例を示す概略図である。図２９（Ａ）は、ランドルト環を用いた視力検査の練習画面の形態を示している。また、図２９（Ｂ）は、この練習画面において、被検者が操作を正確に行ったときに表示される画面の形態を示している。
【図３０】本発明に係る検眼装置の第１の実施形態が備える測定光学系の構成の一例を示す図である。図３０（Ａ）は、当該測定光学系の一部の構成を示す側面図である。また、図３０（Ｂ）は、当該測定光学系の一部の構成を示す正面図である。
【図３１】本発明に係る検眼装置の第５の実施形態が備える制御系の構成の一例を示す概略ブロック図である。
【符号の説明】
【０１６９】
１  検眼テーブル
２  検眼装置
３  検眼椅子
４  被検者
５ｌ、５ｒ  光学ヘッド部
６  顔受け装置
６ｇ  ボタン
６ｈ  ジョイスティックレバー
５３  液晶表示器
６４ｑ  液晶モニタ
９０  コンピュータ装置
９１  モニタ装置
１００  ランドルト環
１０２  矢印マーク
１１０、１４０、１４０Ｒ、１４０Ｌ  レッド・グリーンチャート
１２０、１２１  点群チャート
１２３  枠
１３０  放射チャート
Ｍ  マーク部
１５０  十字チャート
Ｎ  マーク
１６０  近用チャート
１６３  枠
２００  ｌｏｇＭＡＲ方式の視力表
２０５  枠
【図１】
2005342042.tif 000003
【図２】
2005342042.tif 000004
【図３】
2005342042.tif 000005
【図４】
2005342042.tif 000006
【図５】
2005342042.tif 000007
【図６】
2005342042.tif 000008
【図７】
2005342042.tif 000009
【図８】
2005342042.tif 000010
【図９】
2005342042.tif 000011
【図１０】
2005342042.tif 000012
【図１１】
2005342042.tif 000013
【図１２】
2005342042.tif 000014
【図１３】
2005342042.tif 000015
【図１４】
2005342042.tif 000016
【図１５】
2005342042.tif 000017
【図１６】
2005342042.tif 000018
【図１７】
2005342042.tif 000019
【図１８】
2005342042.tif 000020
【図１９】
2005342042.tif 000021
【図２０】
2005342042.tif 000022
【図２１】
2005342042.tif 000023
【図２２】
2005342042.tif 000024
【図２３】
2005342042.tif 000025
【図２４】
2005342042.tif 000026
【図２５】
2005342042.tif 000027
【図２６】
2005342042.tif 000028
【図２７】
2005342042.tif 000029
【図２８】
2005342042.tif 000030
【図２９】
2005342042.tif 000031
【図３０】
2005342042.tif 000032
【図３１】
2005342042.tif 000033